(57)【要約】  ユーザ機器(UE)は、アップリンク送信のためのリソースを要求するために、UEにより生成されたアップリンクメッセージを基地局に送信し得る。UEは、異なる送信モードを使用してメッセージ(たとえば、スケジューリング要求(SR))を送信するように構成され得る。たとえば、UEは、UEが別のアップリンクメッセージ(たとえば、制御メッセージ)とともにSRを搬送する被スケジューリングモードを使用して、SRを送信し得る。いくつかの例では、UEは、UEがSRの送信のために確保されるリソースにおいてSRを送信する自律モードを使用して、SRを送信し得る。UEは、SRのいくつかの特性またはSRと関連付けられたデータに基づいて、どちらの送信モードを使用するかを決定し得る。
2019536315.tif 000002
【特許請求の範囲】
【請求項１】
ユーザ機器(UE)におけるワイヤレス通信のための方法であって、
送信のためにUEにより生成されたアップリンクメッセージを特定するステップと、
前記UEにより生成されたアップリンクメッセージと関連付けられた特性または前記UEの状態に少なくとも一部基づいて、被スケジューリングモードまたは自律モードを使用して前記UEにより生成されたアップリンクメッセージを送信すると決定するステップと、
前記被スケジューリングモードまたは前記自律モードを使用して、前記UEにより生成されたアップリンクメッセージを送信するステップとを備える、方法。
【請求項２】
前記UEにより生成されたアップリンクメッセージが、スケジューリング要求(SR)またはビーム障害回復要求(BFRR)を備える、請求項1に記載の方法。
【請求項３】
前記特性が前記UEにより生成されたアップリンクメッセージと関連付けられたビットの数を備える、請求項1に記載の方法。
【請求項４】
前記ビットの数が所定の閾値を満たさない場合、前記被スケジューリングモードを使用して前記UEにより生成されたアップリンクメッセージを送信するステップと、
前記ビットの数が所定の閾値を満たす場合、前記自律モードを使用して前記UEにより生成されたアップリンクメッセージを送信するステップとをさらに備える、請求項3に記載の方法。
【請求項５】
前記特性が、前記UEにより生成されたアップリンクメッセージが前記UEにより生成されたアップリンクメッセージの再送信であるかどうかの指示を備える、請求項1に記載の方法。
【請求項６】
前記UEにより生成されたアップリンクメッセージが前記UEにより生成されたアップリンクメッセージの最初の送信である場合、または、前記UEにより生成されたアップリンクメッセージが前記UEにより生成されたアップリンクメッセージの再送信であるとともに、前記UEにより生成されたアップリンクメッセージの前記再送信の再送信試行の回数が所定の閾値を満たさない場合、前記被スケジューリングモードを使用して前記UEにより生成されたアップリンクメッセージを送信するステップをさらに備える、請求項5に記載の方法。
【請求項７】
前記UEにより生成されたアップリンクメッセージが前記UEにより生成されたアップリンクメッセージの再送信であるとともに、前記UEにより生成されたアップリンクメッセージの前記再送信の再送信試行の回数が所定の閾値を満たす場合、前記自律モードを使用して前記UEにより生成されたアップリンクメッセージを送信するステップをさらに備える、請求項5に記載の方法。
【請求項８】
前記特性が前記UEにより生成されたアップリンクメッセージと関連付けられた優先度レベルを備える、請求項1に記載の方法。
【請求項９】
前記自律モードが、前記被スケジューリングモードが使用される場合よりも早い前記UEにより生成されたアップリンクメッセージの送信を許可する場合、前記自律モードを使用して前記UEにより生成されたアップリンクメッセージを送信するステップをさらに備える、請求項1に記載の方法。
【請求項１０】
前記被スケジューリングモードが、前記自律モードが使用される場合よりも早い前記UEにより生成されたアップリンクメッセージの送信を許可する場合、前記被スケジューリングモードを使用して前記UEにより生成されたアップリンクメッセージを送信するステップをさらに備える、請求項1に記載の方法。
【請求項１１】
少なくとも1つのダウンリンク指向性ビーム上でダウンリンク送信を受信するステップと、
UEにより生成されたアップリンクメッセージの送信のための専用リソースを特定するステップと、
前記専用リソースを前記少なくとも1つのダウンリンク指向性ビームと関連付けるステップと、
前記自律モードを使用して、前記専用リソース上で前記UEにより生成されたアップリンクメッセージを送信するステップとをさらに備える、請求項1に記載の方法。
【請求項１２】
前記専用リソースが、ランダムアクセスチャネル(RACH)送信のために確保されるリソースと異なる、請求項11に記載の方法。
【請求項１３】
前記UEにより生成されたアップリンクメッセージの送信およびRACHの送信が、周波数領域、時間領域、符号領域、またはこれらの組合せにおいて多重化される、請求項12に記載の方法。
【請求項１４】
前記専用リソースがランダムアクセスチャネル(RACH)の送信のために確保されるリソースであり、前記UEにより生成されたアップリンクメッセージを送信するステップが、
前記UEにより生成されたアップリンクメッセージを示すためにRACHシーケンスを送信するステップを備える、請求項11に記載の方法。
【請求項１５】
前記ダウンリンク送信が、同期信号、マスタ情報ブロック(MIB)、またはシステム情報ブロック(SIB)を備える、請求項11に記載の方法。
【請求項１６】
アップリンク送信のためのリソースを示すグラントを受信するステップと、
前記UEにより生成されたアップリンクメッセージを前記アップリンク送信と関連付けるステップと、
前記被スケジューリングモードを使用して、前記リソース上で前記UEにより生成されたアップリンクメッセージを送信するステップとをさらに備える、請求項1に記載の方法。
【請求項１７】
前記アップリンク送信が、ハイブリッド自動再送要求(HARQ)肯定応答、チャネル状態フィードバック(CSF)報告、ビーム測定報告、サウンディング参照信号(SRS)、アップリンク測定参照信号、物理アップリンク制御チャネル(PUCCH)、またはこれらの組合せを備える、請求項16に記載の方法。
【請求項１８】
前記アップリンク送信がサウンディング参照信号(SRS)を備え、前記被スケジューリングモードを使用して前記リソース上で前記UEにより生成されたアップリンクメッセージを送信するステップが、
前記UEにより生成されたアップリンクメッセージを示す、前記SRSと関連付けられたシーケンス、前記SRSと関連付けられた巡回シフト、または両方を示すステップを備える、請求項16に記載の方法。
【請求項１９】
送信のためにUEにより生成された第2のアップリンクメッセージを特定するステップと、
前記被スケジューリングモードから前記自律モードに、または前記自律モードから前記被スケジューリングモードに切り替えるステップと、
前記被スケジューリングモードまたは前記自律モードを使用して、前記UEにより生成された第2のアップリンクメッセージを送信するステップとをさらに備える、請求項1に記載の方法。
【請求項２０】
ユーザ機器(UE)におけるワイヤレス通信のための装置であって、
送信のためにUEにより生成されたアップリンクメッセージを特定するための手段と、
前記UEにより生成されたアップリンクメッセージと関連付けられた特性または前記UEの状態に少なくとも一部基づいて、被スケジューリングモードまたは自律モードを使用して前記UEにより生成されたアップリンクメッセージを送信すると決定するための手段と、
前記被スケジューリングモードまたは前記自律モードを使用して、前記UEにより生成されたアップリンクメッセージを送信するための手段とを備える、装置。
【請求項２１】
前記UEにより生成されたアップリンクメッセージが、スケジューリング要求(SR)またはビーム障害回復要求(BFRR)を備える、請求項20に記載の装置。
【請求項２２】
前記特性が、前記UEにより生成されたアップリンクメッセージが前記UEにより生成されたアップリンクメッセージの再送信であるかどうかの指示を備える、請求項20に記載の装置。
【請求項２３】
前記UEにより生成されたアップリンクメッセージが前記UEにより生成されたアップリンクメッセージの最初の送信である場合、または、前記UEにより生成されたアップリンクメッセージが前記UEにより生成されたアップリンクメッセージの再送信であるとともに、前記UEにより生成されたアップリンクメッセージの前記再送信の再送信試行の回数が所定の閾値を満たさない場合、前記被スケジューリングモードを使用して前記UEにより生成されたアップリンクメッセージを送信するための手段と、
前記UEにより生成されたアップリンクメッセージが前記UEにより生成されたアップリンクメッセージの再送信であるとともに、前記UEにより生成されたアップリンクメッセージの前記再送信の再送信試行の前記回数が前記所定の閾値を満たす場合、前記自律モードを使用して前記UEにより生成されたアップリンクメッセージを送信するための手段をさらに備える、請求項22に記載の装置。
【請求項２４】
前記特定された特性が前記UEにより生成されたアップリンクメッセージと関連付けられた優先度レベルを備える、請求項20に記載の装置。
【請求項２５】
前記自律モードが、前記被スケジューリングモードが使用される場合よりも早い前記UEにより生成されたアップリンクメッセージの送信を許可する場合、前記自律モードを使用して前記UEにより生成されたアップリンクメッセージを送信するための手段と、
前記被スケジューリングモードが、前記自律モードが使用される場合よりも早い前記UEにより生成されたアップリンクメッセージの送信を許可する場合、前記被スケジューリングモードを使用して前記UEにより生成されたアップリンクメッセージを送信するための手段とをさらに備える、請求項20に記載の装置。
【請求項２６】
少なくとも1つのダウンリンク指向性ビーム上でダウンリンク送信を受信するための手段と、
UEにより生成されたアップリンクメッセージの送信のための専用リソースを特定するための手段と、
前記専用リソースを前記少なくとも1つのダウンリンク指向性ビームと関連付けるための手段と、
前記自律モードを使用して、前記専用リソース上で前記UEにより生成されたアップリンクメッセージを送信するための手段とをさらに備える、請求項20に記載の装置。
【請求項２７】
アップリンク送信のためのリソースを示すグラントを受信するための手段と、
前記UEにより生成されたアップリンクメッセージを前記アップリンク送信と関連付けるための手段と、
前記被スケジューリングモードを使用して、前記リソース上で前記UEにより生成されたアップリンクメッセージを送信するための手段とをさらに備える、請求項20に記載の装置。
【請求項２８】
送信のためにUEにより生成された第2のアップリンクメッセージを特定するための手段と、
前記被スケジューリングモードから前記自律モードに、または前記自律モードから前記被スケジューリングモードに切り替えるための手段と、
前記被スケジューリングモードまたは前記自律モードを使用して、前記UEにより生成された第2のアップリンクメッセージを送信するための手段とをさらに備える、請求項20に記載の装置。
【請求項２９】
ワイヤレス通信のための方法であって、
ミリメートル波(mmW)通信システムにおける複数のビームフォーミングされた送信のうちの1つでアップリンクグラントを受信するステップと、
送信のためにUEにより生成されたアップリンクメッセージを特定するステップと、
前記mmW通信システムにおいて、前記アップリンクグラントによって示されるリソース上で前記UEにより生成されたアップリンクメッセージを送信するステップとを備える、方法。
【請求項３０】
ワイヤレス通信のための方法であって、
送信のためにUEにより生成されたアップリンクメッセージを特定するステップと、
少なくとも1つのビームフォーミングされた同期信号を受信するステップと、
前記少なくとも1つの受信されたビームフォーミングされた同期信号と関連付けられたUEにより生成されたアップリンクメッセージの送信のための専用リソースを特定するステップと、
前記専用リソース上で前記UEにより生成されたアップリンクメッセージを送信するステップとを備える、方法。
【発明の詳細な説明】
【技術分野】
【０００１】
相互参照
本特許出願は、各々が本出願の譲受人に譲渡される、2017年9月20日に出願された、「Scheduling Request Transmission For Directional Beam Access」と題する、Luoらによる米国特許出願第15/709,964号、および2016年10月18日に出願された、「Scheduling Request Transmission For Directional Beam Access」と題する、Luoらによる米国仮特許出願第62/409,838号の優先権を主張する。
【０００２】
以下は全般にワイヤレス通信に関し、より具体的には、指向性ビームへのアクセスのためのスケジューリング要求(SR)の送信に関する。
【背景技術】
【０００３】
ワイヤレス通信システムは、音声、ビデオ、パケットデータ、メッセージング、ブロードキャストなどの、様々なタイプの通信コンテンツを提供するために広く展開されている。これらのシステムは、利用可能なシステムリソース(たとえば、時間、周波数、および電力)を共有することによって、複数のユーザとの通信をサポートすることが可能であり得る。そのような多元接続システムの例には、符号分割多元接続(CDMA)システム、時分割多元接続(TDMA)システム、周波数分割多元接続(FDMA)システム、および直交周波数分割多元接続(OFDMA)システムがある。
【０００４】
いくつかの例では、ワイヤレス多元接続通信システムは、ユーザ機器(UE)としても知られている複数の通信デバイスのための通信を各々が同時にサポートする、いくつかの基地局を含み得る。Long-Term Evolution(LTE)またはLTE-Advanced(LTE-A)ネットワークでは、1つまたは複数の基地局のセットがeNodeB(eNB)を定義し得る。他の例(たとえば、次世代new radio(NR)または5Gネットワークにおける)では、ワイヤレス多元接続通信システムは、いくつかのアクセスノードコントローラ(ANC)と通信しているいくつかのスマートラジオヘッド(RH)を含むことがあり、ここでANCと通信している1つまたは複数のRHのセットが基地局(たとえば、eNB)を定義する。基地局は、(たとえば、基地局からUEへの送信のための)ダウンリンク(DL)チャネル上および(たとえば、UEから基地局への送信のための)アップリンク(UL)チャネル上でUEのセットと通信し得る。
【０００５】
いくつかの例では、ワイヤレスネットワークは、ミリメートル波(mmW)スペクトルで動作することがある。mmWスペクトルを使用すると追加の減衰が生じることがあり、これは通信のリンクバジェットに影響することがある。mmWスペクトルで動作するUEおよび基地局は、追加の減衰に対処するために、ビームフォーミング技法を利用して特定の方向のワイヤレス信号の強度を高めることがある。しかしながら、ビームフォーミングされた送信の指向性の性質により、基地局は、基地局とUEとの間での信号の指向性の送信と受信の協調がない限り、UEから送信されたメッセージ(たとえば、SR)を見逃すことがあり、またはそのメッセージを復号することに別様に失敗することがある。
【発明の概要】
【課題を解決するための手段】
【０００６】
ユーザ機器(UE)は、アップリンク送信のためのリソースを要求するために、UEにより生成されたアップリンクメッセージを基地局に送信し得る。いくつかの場合、UEにより生成されたアップリンクメッセージは、スケジューリング要求(SR)またはビーム障害回復要求(BFRR:beam failure recovery request)を含み得る。UEは、異なる送信モードを使用してSRを送信するように構成され得る。たとえば、UEは、UEが別のアップリンクメッセージ(たとえば、制御メッセージ)とともにSRを搬送する被スケジューリングモード(scheduled mode)を使用して、SRを送信し得る。いくつかの例では、UEは、UEがSR送信のために確保されるリソースにおいてSRを送信する自律モード(autonomous mode)を使用して、SRを送信し得る。UEは、SRのいくつかの特性またはSRと関連付けられたデータまたはUEの状態に基づいて、どちらの送信モードを使用するかを決定し得る。
【０００７】
UEは、ミリメートル波(mmW)スペクトルにおいて使用するための指向性のビームフォーミングされたメッセージを、送信して受信するように構成され得る。いくつかの例では、UEは、制御情報(たとえば、同期信号)を搬送するビームフォーミングされた信号を基地局から受信し得る。ビームフォーミングされた信号は、SRの送信に専用のリソースを示し得る。自律的な送信モードでは、UEは、送信のためのSRを特定し、専用のSRリソースをビームフォーミングされた信号の識別情報と関連付け、専用のリソース上でSRを基地局に送信し得る。いくつかの場合、UEおよび基地局は、mmWスペクトル以外のスペクトル(たとえば、周波数が6GHz未満のスペクトル(サブ6GHz))において動作し得る。
【０００８】
いくつかの例では、UEはビームフォーミングされた信号上でアップリンクグラントを受信し得る。アップリンクグラントは、アップリンクメッセージ(たとえば、制御情報を含むデータメッセージ)を送信するためにUEが使用すべきリソースを示し得る。被スケジューリングモードでは、UEは、送信のためのSRを特定し、事前にスケジューリングされたアップリンクメッセージとともにそのSRを基地局に搬送し得る。
【０００９】
ワイヤレス通信の方法が説明される。方法は、送信のためにUEにより生成されたアップリンクメッセージを特定するステップと、UEにより生成されたアップリンクメッセージと関連付けられた特性またはUEの状態に少なくとも一部基づいて、被スケジューリングモードまたは自律モードを使用してUEにより生成されたアップリンクメッセージを送信すると決定するステップと、被スケジューリングモードまたは自律モードを使用してUEにより生成されたアップリンクメッセージを送信するステップとを含み得る。
【００１０】
ワイヤレス通信のための装置が説明される。装置は、送信のためにUEにより生成されたアップリンクメッセージを特定するための手段と、UEにより生成されたアップリンクメッセージと関連付けられた特性またはUEの状態に少なくとも一部基づいて、被スケジューリングモードまたは自律モードを使用してUEにより生成されたアップリンクメッセージを送信すると決定するための手段と、被スケジューリングモードまたは自律モードを使用してUEにより生成されたアップリンクメッセージを送信するための手段とを含み得る。
【００１１】
ワイヤレス通信のための別の装置が説明される。装置は、プロセッサ、プロセッサと電子通信しているメモリ、およびメモリに記憶された命令を含み得る。命令は、プロセッサに、送信のためにUEにより生成されたアップリンクメッセージを特定させ、UEにより生成されたアップリンクメッセージと関連付けられた特性またはUEの状態に少なくとも一部基づいて、被スケジューリングモードまたは自律モードを使用してUEにより生成されたアップリンクメッセージを送信すると決定させ、被スケジューリングモードまたは自律モードを使用してUEにより生成されたアップリンクメッセージを送信させるように動作可能であり得る。
【００１２】
ワイヤレス通信のための非一時的コンピュータ可読媒体が説明される。非一時的コンピュータ可読媒体は、プロセッサに、送信のためにUEにより生成されたアップリンクメッセージを特定させ、UEにより生成されたアップリンクメッセージと関連付けられた特性またはUEの状態に少なくとも一部基づいて、被スケジューリングモードまたは自律モードを使用してUEにより生成されたアップリンクメッセージを送信すると決定させ、被スケジューリングモードまたは自律モードを使用してUEにより生成されたアップリンクメッセージを送信させるように動作可能な命令を含み得る。
【００１３】
上で説明された方法、装置、および非一時的コンピュータ可読媒体のいくつかの例では、UEにより生成されたアップリンクメッセージはSRまたはBFRRを含み得る。
【００１４】
上で説明された方法、装置、および非一時的コンピュータ可読媒体のいくつかの例では、特性は、UEにより生成されたアップリンクメッセージと関連付けられたビットの数を含む。
【００１５】
上で説明された方法、装置、および非一時的コンピュータ可読媒体のいくつかの例はさらに、ビットの数が所定の閾値を満たさない場合、被スケジューリングモードを使用してUEにより生成されたアップリンクメッセージを送信するためのプロセス、特徴、手段、または命令を含み得る。
【００１６】
上で説明された方法、装置、および非一時的コンピュータ可読媒体のいくつかの例はさらに、ビットの数が所定の閾値を満たす場合、自律モードを使用してUEにより生成されたアップリンクメッセージを送信するためのプロセス、特徴、手段、または命令を含み得る。
【００１７】
上で説明された方法、装置、および非一時的コンピュータ可読媒体のいくつかの例では、特性は、UEにより生成されたアップリンクメッセージがUEにより生成されたアップリンクメッセージの再送信であり得るかどうかの指示を含む。
【００１８】
上で説明された方法、装置、および非一時的コンピュータ可読媒体のいくつかの例はさらに、UEにより生成されたアップリンクメッセージがUEにより生成されたアップリンクメッセージの最初の送信であり得る場合、または、UEにより生成されたアップリンクメッセージがUEにより生成されたアップリンクメッセージの再送信であり得るとともに、UEにより生成されたアップリンクメッセージの再送信の再送信試行の回数が所定の閾値を満たさない場合、被スケジューリングモードを使用してUEにより生成されたアップリンクメッセージを送信するためのプロセス、特徴、手段、または命令を含み得る。
【００１９】
上で説明された方法、装置、および非一時的コンピュータ可読媒体のいくつかの例はさらに、UEにより生成されたアップリンクメッセージがUEにより生成されたアップリンクメッセージの再送信であり得るとともに、UEにより生成されたアップリンクメッセージの再送信の再送信試行の回数が所定の閾値を満たす場合、自律モードを使用してUEにより生成されたアップリンクメッセージを送信するためのプロセス、特徴、手段、または命令を含み得る。
【００２０】
上で説明された方法、装置、および非一時的コンピュータ可読媒体のいくつかの例では、特性は、UEにより生成されたアップリンクメッセージと関連付けられた優先度レベルを含む。
【００２１】
上で説明された方法、装置、および非一時的コンピュータ可読媒体のいくつかの例はさらに、自律モードが、被スケジューリングモードが使用される場合よりも早くUEにより生成されたアップリンクメッセージの送信を許可する場合、自律モードを使用してUEにより生成されたアップリンクメッセージを送信するためのプロセス、特徴、手段、または命令を含み得る。
【００２２】
上で説明された方法、装置、および非一時的コンピュータ可読媒体のいくつかの例はさらに、被スケジューリングモードが、自律モードが使用される場合よりも早くUEにより生成されたアップリンクメッセージの送信を許可する場合、被スケジューリングモードを使用してUEにより生成されたアップリンクメッセージを送信するためのプロセス、特徴、手段、または命令を含み得る。
【００２３】
上で説明された方法、装置、および非一時的コンピュータ可読媒体のいくつかの例はさらに、少なくとも1つのダウンリンク指向性ビーム上でダウンリンク送信を受信するためのプロセス、特徴、手段、または命令を含み得る。上で説明された方法、装置、および非一時的コンピュータ可読媒体のいくつかの例はさらに、UEにより生成されたアップリンクメッセージの送信のための専用リソースを特定するためのプロセス、特徴、手段、または命令を含み得る。上で説明された方法、装置、および非一時的コンピュータ可読媒体のいくつかの例はさらに、専用リソースを少なくとも1つのダウンリンク指向性ビームと関連付けるためのプロセス、特徴、手段、または命令を含み得る。上で説明された方法、装置、および非一時的コンピュータ可読媒体のいくつかの例はさらに、自律モードを使用して専用リソース上でUEにより生成されたアップリンクメッセージを送信するためのプロセス、特徴、手段、または命令を含み得る。
【００２４】
上で説明された方法、装置、および非一時的コンピュータ可読媒体のいくつかの例では、専用リソースは、ランダムアクセスチャネル(RACH)送信のために確保されたリソースとは異なり得る。
【００２５】
上で説明された方法、装置、および非一時的コンピュータ可読媒体のいくつかの例では、UEにより生成されたアップリンクメッセージの送信およびRACHの送信は、周波数領域、時間領域、符号領域、またはこれらの組合せにおいて多重化され得る。
【００２６】
上で説明された方法、装置、および非一時的コンピュータ可読媒体のいくつかの例では、専用リソースはRACHの送信のために確保されたリソースであることがあり、UEにより生成されたアップリンクメッセージを送信することは、UEにより生成されたアップリンクメッセージを示すためにRACHシーケンスを送信することを含む。
【００２７】
上で説明された方法、装置、および非一時的コンピュータ可読媒体のいくつかの例では、ダウンリンク送信は、同期信号、マスタ情報ブロック(MIB)、またはシステム情報ブロック(SIB)を含む。
【００２８】
上で説明された方法、装置、および非一時的コンピュータ可読媒体のいくつかの例はさらに、アップリンク送信のためのリソースを示すグラントを受信するためのプロセス、特徴、手段、または命令を含み得る。上で説明された方法、装置、および非一時的コンピュータ可読媒体のいくつかの例はさらに、UEにより生成されたアップリンクメッセージをアップリンク送信と関連付けるためのプロセス、特徴、手段、または命令を含み得る。上で説明された方法、装置、および非一時的コンピュータ可読媒体のいくつかの例はさらに、被スケジューリングモードを使用してリソース上でUEにより生成されたアップリンクメッセージを送信するためのプロセス、特徴、手段、または命令を含み得る。
【００２９】
上で説明された方法、装置、および非一時的コンピュータ可読媒体のいくつかの例では、アップリンク送信は、ハイブリッド自動再送要求(HARQ)肯定応答、チャネル状態フィードバック(CSF)報告、ビーム測定報告、サウンディング参照信号(SRS)、アップリンク測定参照信号、物理アップリンク制御チャネル(PUCCH)、またはこれらの組合せを含む。
【００３０】
上で説明された方法、装置、および非一時的コンピュータ可読媒体のいくつかの例では、アップリンク送信はSRSを含み、被スケジューリングモードを使用してリソース上でUEにより生成されたアップリンクメッセージを送信することは、UEにより生成されたアップリンクメッセージを示し得る、SRSと関連付けられたシーケンス、SRSと関連付けられた巡回シフト、または両方を示すことを含む。
【００３１】
上で説明された方法、装置、および非一時的コンピュータ可読媒体のいくつかの例はさらに、送信のためにUEにより生成された第2のアップリンクメッセージを特定するためのプロセス、特徴、手段、または命令を含み得る。上で説明された方法、装置、および非一時的コンピュータ可読媒体のいくつかの例はさらに、被スケジューリングモードから自律モードへ、もしくは自律モードから被スケジューリングモードへ切り替えるためのプロセス、特徴、手段、または命令を含み得る。上で説明された方法、装置、および非一時的コンピュータ可読媒体のいくつかの例はさらに、被スケジューリングモードもしくは自律モードを使用してUEにより生成された第2のアップリンクメッセージを送信するためのプロセス、特徴、手段、または命令を含み得る。
【００３２】
ワイヤレス通信の方法が説明される。方法は、mmW通信システムにおける複数のビームフォーミングされた送信のうちの1つでアップリンクグラントを受信するステップと、送信のためにUEにより生成されたアップリンクメッセージを特定するステップと、mmW通信システムにおいて、アップリンクグラントによって示されるリソース上でUEにより生成されたアップリンクメッセージを送信するステップとを含み得る。
【００３３】
ワイヤレス通信のための装置が説明される。装置は、mmW通信システムにおける複数のビームフォーミングされた送信のうちの1つでアップリンクグラントを受信するための手段と、送信のためにUEにより生成されたアップリンクメッセージを特定するための手段と、mmW通信システムにおいて、アップリンクグラントによって示されるリソース上でUEにより生成されたアップリンクメッセージを送信するための手段とを含み得る。
【００３４】
ワイヤレス通信のための別の装置が説明される。装置は、プロセッサ、プロセッサと電子通信しているメモリ、およびメモリに記憶された命令を含み得る。命令は、プロセッサに、mmW通信システムにおける複数のビームフォーミングされた送信のうちの1つでアップリンクグラントを受信させ、送信のためにUEにより生成されたアップリンクメッセージを特定させ、mmW通信システムにおいて、アップリンクグラントによって示されるリソース上でUEにより生成されたアップリンクメッセージを送信させるように動作可能であり得る。
【００３５】
ワイヤレス通信のための非一時的コンピュータ可読媒体が説明される。非一時的コンピュータ可読媒体は、プロセッサに、mmW通信システムにおける複数のビームフォーミングされた送信のうちの1つでアップリンクグラントを受信させ、送信のためにUEにより生成されたアップリンクメッセージを特定させ、mmW通信システムにおいて、アップリンクグラントによって示されるリソース上でUEにより生成されたアップリンクメッセージを送信させるように動作可能な命令を含み得る。
【００３６】
ワイヤレス通信の方法が説明される。方法は、送信のためにUEにより生成されたアップリンクメッセージを特定するステップと、少なくとも1つのビームフォーミングされた同期信号を受信するステップと、少なくとも1つの受信されたビームフォーミングされた同期信号と関連付けられたUEにより生成されたアップリンクメッセージの送信のための専用リソースを特定するステップと、専用リソース上でUEにより生成されたアップリンクメッセージを送信するステップとを含み得る。
【００３７】
ワイヤレス通信のための装置が説明される。装置は、送信のためにUEにより生成されたアップリンクメッセージを特定するための手段と、少なくとも1つのビームフォーミングされた同期信号を受信するための手段と、少なくとも1つの受信されたビームフォーミングされた同期信号と関連付けられたUEにより生成されたアップリンクメッセージの送信のための専用リソースを特定するための手段と、専用リソース上でUEにより生成されたアップリンクメッセージを送信するための手段とを含み得る。
【００３８】
ワイヤレス通信のための別の装置が説明される。装置は、プロセッサ、プロセッサと電子通信しているメモリ、およびメモリに記憶された命令を含み得る。命令は、プロセッサに、送信のためにUEにより生成されたアップリンクメッセージを特定させ、少なくとも1つのビームフォーミングされた同期信号を受信させ、少なくとも1つの受信されたビームフォーミングされた同期信号と関連付けられたUEにより生成されたアップリンクメッセージの送信のための専用リソースを特定させ、専用リソース上でUEにより生成されたアップリンクメッセージを送信させるように動作可能であり得る。
【００３９】
ワイヤレス通信のための非一時的コンピュータ可読媒体が説明される。非一時的コンピュータ可読媒体は、プロセッサに、送信のためにUEにより生成されたアップリンクメッセージを特定させ、少なくとも1つのビームフォーミングされた同期信号を受信させ、少なくとも1つの受信されたビームフォーミングされた同期信号と関連付けられたUEにより生成されたアップリンクメッセージの送信のための専用リソースを特定させ、専用リソース上でUEにより生成されたアップリンクメッセージを送信させるように動作可能な命令を含み得る。
【図面の簡単な説明】
【００４０】
【図１】本開示の態様による、指向性ビームへのアクセスのためのスケジューリング要求(SR)の送信をサポートするワイヤレス通信システムの例を示す図である。
【図２】本開示の態様による、指向性ビームへのアクセスのためのSRの送信をサポートするワイヤレス通信システムの例を示す図である。
【図３】本開示の態様による、指向性ビームへのアクセスのためのSRの送信をサポートするアップリンクメッセージの例を示す図である。
【図４Ａ】本開示の態様による、指向性ビームへのアクセスのためのSRの送信をサポートするアップリンクメッセージの例を示す図である。
【図４Ｂ】本開示の態様による、指向性ビームへのアクセスのためのSRの送信をサポートするアップリンクメッセージの例を示す図である。
【図５】本開示の態様による、指向性ビームへのアクセスのためのSRの送信をサポートするプロセスフローの例を示す図である。
【図６】本開示の態様による、指向性ビームへのアクセスのためのSRの送信をサポートするデバイスのブロック図である。
【図７】本開示の態様による、指向性ビームへのアクセスのためのSRの送信をサポートするデバイスのブロック図である。
【図８】本開示の態様による、指向性ビームへのアクセスのためのSRの送信をサポートするデバイスのブロック図である。
【図９】本開示の態様による、指向性ビームへのアクセスのためのSRの送信をサポートするユーザ機器(UE)を含むシステムのブロック図である。
【図１０】本開示の態様による、指向性ビームへのアクセスのためのSRの送信をサポートするデバイスのブロック図である。
【図１１】本開示の態様による、指向性ビームへのアクセスのためのSRの送信をサポートするデバイスのブロック図である。
【図１２】本開示の態様による、指向性ビームへのアクセスのためのSRの送信をサポートするデバイスのブロック図である。
【図１３】本開示の態様による、指向性ビームへのアクセスのためのSRの送信をサポートする基地局を含むシステムのブロック図である。
【図１４】本開示の態様による、指向性ビームへのアクセスのためのSRの送信の方法を示す図である。
【図１５】本開示の態様による、指向性ビームへのアクセスのためのSRの送信の方法を示す図である。
【図１６】本開示の態様による、指向性ビームへのアクセスのためのSRの送信の方法を示す図である。
【図１７】本開示の態様による、指向性ビームへのアクセスのためのSRの送信の方法を示す図である。
【図１８】本開示の態様による、指向性ビームへのアクセスのためのSRの送信の方法を示す図である。
【図１９】本開示の態様による、指向性ビームへのアクセスのためのSRの送信の方法を示す図である。
【発明を実施するための形態】
【００４１】
説明される技法は、指向性のビームフォーミングされた送信をサポートするワイヤレス通信システムにおける、ユーザ機器(UE)から基地局へのUEにより生成されたアップリンクメッセージの送信に関する。いくつかの場合、UEにより生成されたアップリンクメッセージは、スケジューリング要求(SR)またはビーム障害回復要求(BFRR)を含み得る。たとえば、UEは、ミリメートル波(mmW)スペクトルを使用して動作するように構成されることがあり、指向性のビームフォーミングされた送信を使用して基地局と通信することがある。アップリンクメッセージを基地局に送信するために、UEはまずSRを送信してアップリンクリソースを要求し得る。ビームフォーミングされた送信の指向性が原因で、UEおよび基地局は、UEによって送信されたSRが基地局によって受信されることを確実にするために協調し得る。たとえば、UEは、異なる送信モードを利用してSRを基地局に搬送し得る。被スケジューリングモードにおいて、UEは、別の事前にスケジューリングされたアップリンク送信(たとえば、アップリンク制御メッセージまたはフィードバックメッセージ)とともにSRを搬送し得る。自律モードでは、UEはSRの送信のために確保されたリソース上でSRを搬送し得る。UEは、SRのいくつかの特性もしくはSRと関連付けられたデータ、UEの状態、ネットワークからの構成、または何らかの他の要因に応じて、様々なモードの中から選択し得る。いくつかの場合、UEおよび基地局は、mmWスペクトル以外のスペクトル(たとえば、周波数が6GHz未満のスペクトル(サブ6GHz))において動作し得る。
【００４２】
本開示の態様は、最初にワイヤレス通信システムの文脈で説明される。アップリンク送信メッセージの例は、自律モードおよび被スケジューリングモードを使用してSRの送信を記述するように示されている。本開示の態様はさらに、指向性ビームへのアクセスのためのSRの送信に関する装置図、システム図、およびフローチャートによってさらに示され、それらを参照して説明される。
【００４３】
図1は、本開示の様々な態様によるワイヤレス通信システム100の例を示す。ワイヤレス通信システム100は、基地局105と、UE115と、コアネットワーク130とを含む。いくつかの例では、ワイヤレス通信システム100は、LTE(または、LTE-Advanced)ネットワークであり得る。他の例(たとえば、次世代new radio(NR)または5Gネットワークにおける)では、ワイヤレス通信システム100は、いくつかのアクセスノードコントローラ(ANC)と通信しているいくつかのスマートラジオヘッド(RH)を含むことがあり、ここでANCと通信している1つまたは複数のRHのセットが基地局(たとえば、eNB)を定義する。本開示の態様によれば、ワイヤレス通信システム100は、SRなどの制御情報を搬送するために、mmW周波数範囲上での、かつビームフォーミング技法を使用する通信をサポートし得る。
【００４４】
基地局105は、1つまたは複数の基地局アンテナを介してUE115とワイヤレスに通信し得る。各基地局105は、それぞれの地理的カバレッジエリア110に通信カバレッジを提供し得る。ワイヤレス通信システム100において示される通信リンク125は、UE115から基地局105へのアップリンク送信、または基地局105からUE115へのダウンリンク送信を含み得る。UE115はワイヤレス通信システム100全体にわたって分散されることがあり、各UE115は固定式または移動式であり得る。UE115は、移動局、加入者局、リモートユニット、ワイヤレスデバイス、アクセス端末(AT)、ハンドセット、ユーザエージェント、クライアント、または同様の用語で呼ばれることもある。UE115は、携帯電話、ワイヤレスモデム、ハンドヘルドデバイス、パーソナルコンピュータ、タブレット、パーソナル電子デバイス、MTCデバイスなどであり得る。
【００４５】
基地局105は、コアネットワーク130と、また互いと通信し得る。たとえば、基地局105は、バックホールリンク132(たとえば、S1など)を通じてコアネットワーク130とインターフェースし得る。基地局105は、バックホールリンク134(たとえば、X2など)を通じて直接、または間接的に(たとえば、コアネットワーク130を通じて)のいずれかで、互いに通信し得る。基地局105は、UE115との通信のための無線構成およびスケジューリングを実行することができ、または基地局コントローラ(図示せず)の制御下で動作することができる。いくつかの例では、基地局105は、マクロセル、スモールセル、ホットスポットなどであり得る。基地局105は、eNodeB(eNB)105と呼ばれることもある。
【００４６】
ワイヤレス通信システム100は、スペクトルの極高周波(EHF)部分(たとえば、30GHzから300GHz)を利用することができる。この領域は、ミリメートル帯(たとえば、mmWスペクトル)としても知られていることがあり、それは、波長が約1ミリメートルから1センチメートルの長さに及ぶからである。mmW通信をサポートするデバイス(たとえば、UE115および基地局105)は、ビームフォーミングを可能にするための複数のアンテナを有し得る。すなわち、基地局105は、UE115との指向性の通信のためのビームフォーミング動作を行うために、複数のアンテナまたはアンテナアレイを使用し得る。いくつかの場合、ワイヤレス通信システム100は、サブ6GHzスペクトル(たとえば、6GHz未満の周波数)を利用することがある。
【００４７】
ビームフォーミング(空間フィルタリングと呼ばれることもある)は、アンテナビーム全体を成形し、かつ/またはターゲット受信機(たとえば、UE115または基地局105)の方向にステアリングするために送信機(たとえば、基地局105またはUE115)において使用され得る信号処理技法である。これは、特定の角度における送信信号が強め合う干渉を受ける一方で、他の角度における送信信号が弱め合う干渉を受けるように、アンテナアレイ内の要素を組み合わせることによって達成され得る。信号は、異なる方向において複数回送信され得る(たとえば、各送信は、異なるようにビームフォーミングされ得る)。送信されるビームはまた、地理的カバレッジエリア110の中の1つ1つのUE115に到達するように、セクタ全体にわたって掃引され得る。
【００４８】
ワイヤレス通信ネットワーク100にアクセスすることを試みるUE115は、基地局105からの1次同期信号(PSS)を検出することによって初期セル探索を実行し得る。PSSは、スロットタイミングの同期を可能でき、物理レイヤ識別情報値を示すことができる。UE115は、次いで、2次同期信号(SSS)を受信し得る。SSSは、無線フレームの同期を可能にでき、セルを識別するための物理レイヤ識別情報値と組み合わされ得る、セル識別情報値を提供することができる。SSSはまた、複信モードおよびサイクリックプレフィックス長の検出を可能にし得る。時分割複信(TDD)システムなどのいくつかのシステムは、SSSを送信するが、PSSを送信しないことがある。PSSとSSSとを受信した後、UE115は、物理ブロードキャストチャネル(PBCH)において送信され得る、マスタ情報ブロック(MIB)を受信し得る。MIBは、システム帯域幅情報と、システムフレーム番号(SFN)と、物理ハイブリッド自動再送要求インジケータチャネルPHICH構成とを含み得る。MIBを復号した後、UE115は、1つまたは複数のシステム情報ブロック(SIB)を受信し得る。たとえば、SIB1は、他のSIBのセルアクセスパラメータおよびスケジューリング情報を含み得る。SIB1を復号することは、UE115がSIB2を受信することを可能にし得る。SIB2は、ランダムアクセスチャネル(RACH)手順と、ページングと、物理アップリンク制御チャネル(PUCCH)と、物理アップリンク共有チャネル(PUSCH)と、電力制御と、サウンディング参照信号(SRS)と、セル禁止(cell barring)とに関する無線リソース制御(RRC)構成情報を含み得る。
【００４９】
基地局による同期信号(たとえば、PSS、SSS、および拡張同期信号(ESS)を含む)の送信は、UE115のタイミングを基地局105に同期するためにUE115によって使用され得る。mmW周波数範囲を使用する通信システムでは、同期信号は、あるリンクバジェット(たとえば、媒体を通じて通信するときの送信機および/または受信機と関連付けられた利得および損失の考慮)を満たすようにビームフォーミングされ得る。さらに、他のタイプのダウンリンク制御メッセージ(たとえば、MIB、SIB、アップリンクグラント、測定参照信号、ビーム測定参照信号)がビームフォーミングされ、UE115に送信され得る。
【００５０】
同期期間(たとえば、同期信号送信の時間長)の間、基地局105は、いくつかのシンボルのためにそのアンテナポートのすべてで送信し得る。たとえば、同期期間はサブフレームの14シンボルの間続くことがあり、各アンテナポートのビーム方向はシンボルごとに変化することがある。したがって、すべての基地局アンテナポートからのビームが、同期信号の送信の間、セルのすべての関係する空間的な方向をカバーし得る。同期期間の間のビーム掃引はまた、PBCH信号などのブロードキャスト信号を送達するために使用され得る。いくつかの場合、PSS、SSS、およびPBCH信号は、周波数分割複信(FDM)を使用して、同期送信などの送信において多重化され得る。
【００５１】
いくつかの場合、同期信号は、各アンテナポートに対応する複数のビーム参照信号を含み得る。ビーム参照信号は、UE115が各ビームの受信信号強度インジケータ(RSSI)および周波数選択性を測定することを可能にするので、ビームが基地局105からそれに沿って移動する無線チャネルをUE115が特定することを可能にし得る。ある例として、基地局105は、異なるアンテナポートと関連付けられたビーム参照信号をUE115が区別することを可能にするために、ビーム参照信号をサブキャリアの異なる(または互いに素の)集合に割り当てることができる。加えて、または代わりに、各アンテナポートは、ビーム参照信号と関連付けられたものとは異なるサブキャリアの集合を使用してブロードキャスト信号を送信することができ、各アンテナポートはサブキャリアの同じ集合においてブロードキャスト信号を送信することができる。
【００５２】
ワイヤレス通信システム100は、アップリンク送信およびダウンリンク送信のためにTDDを利用し得る。たとえば、ダウンリンク送信およびアップリンク送信は異なる重複しない時間リソースにおいて起こることがあり、各時間リソースはある送信方向(たとえば、アップリンクまたはダウンリンク)を割り当てられることがある。いくつかの場合、時間リソースは、ネットワークにおけるトラフィック使用量と一致するように動的に割り当てられ得る(たとえば、ダイナミックTDD)。いくつかの他の場合には、時間リソースの送信方向(アップリンクまたはダウンリンク)は、フレームごとに変更され得る。ダイナミックTDD動作のいくつかの場合には、基地局105は、ブロードキャスト信号またはRRCシグナリングを通じて、事前に構成された時間長(たとえば、RACHスロットまたは他のアップリンクスロット)においてアップリンク自律送信またはSRを送信するように、UE115にシグナリングし得る。いくつかの場合、この時間長は、スロットの最後の数シンボルまたはスロットの時間長全体からなり得る。
【００５３】
いくつかの例では、指向性のアクセス手順(たとえば、指向性のビームフォーミングされた送信を使用するシステムにおけるアクセス手順)を使用するとき、UE115および基地局105は、それらの間での通信の送信が成功し得る前に、ある方向において同期することがある。たとえば、基地局105は、ビームフォーミングされた信号上でUE115からの入来する送信を受信するために、ビームフォーミングされた信号の方向において受信ビームに備え得る。いくつかの例では、ビームフォーミングされた信号は、1つまたは複数のビーム方向と関連付けられ得る。UE115および基地局105が異なる方向に調整される場合、アップリンクメッセージ(たとえば、SR)は基地局105において受信に成功しないことがある。
【００５４】
いくつかの例では、SRは、物理ランダムアクセスチャネル(PRACH)またはRACHの送信に割り当てられた時間長(たとえば、アップリンクスロットまたはサブフレーム)において構成され得る。指向性のアクセス手順を使用するとき、PRACH/RACHリソースは、同期信号によって搬送されるダウンリンクビームとペアリングされ得る(たとえば、ビームペアリング)。その場合、SRリソースはPRACH/RACHリソースと周波数分割多重化または符号分割多重化(FDMまたはCDM)されることがあり、基地局105がPRACH/RACH送信とSR送信の両方を検出することを可能にする。しかしながら、PRACH/RACH時間長の周期性(たとえば、20msごとに1つのサブフレーム)は、いくつかの場合にはSR送信に対して十分ではないことがある。
【００５５】
本開示の態様によれば、UE115は、被スケジューリングモードまたは自律モードを使用してSRを基地局105に送信し得る。被スケジューリングモードでは、UE115は、別のアップリンクメッセージ(たとえば、制御メッセージ)とともに、SRを基地局105に搬送し得る。自律モードでは、UE115はSRの送信のために確保されたリソース上でSRを送信し得る。いくつかの例では、UE115は、SRの特性またはSRと関連付けられたデータに応じて、あるモードを選択し、2つの送信モードを切り替えることができる。
【００５６】
図2は、本開示の態様による、指向性ビームへのアクセスのためのSRの送信をサポートするワイヤレス通信システム200の例を示す。ワイヤレス通信システム200は、図1を参照して説明されたUE115と基地局105との例であり得る、UE115-aと基地局105-aとを含み得る。UE115-aおよび基地局105-aは、たとえば、指向性のビームを使用して通信することがあり、mmWスペクトルを使用して動作することがある。いくつかの場合、UEおよび基地局は、mmWスペクトル以外のスペクトル(たとえば、周波数が6GHz未満のスペクトル(サブ6GHz))において動作し得る。ワイヤレス通信システム200は、UE115-aと基地局105-aとの間で様々な送信のモードを使用してSRを搬送する態様を示す。
【００５７】
上で論じられたように、mmW周波数を使用して動作するとき、基地局105-aおよび/またはUE115-aは、追加の経路損失の結果として、ワイヤレス信号の強度を高めるためにビームフォーミング技法を利用することがある。たとえば、基地局105-aは、データおよび/または制御情報を搬送する複数のダウンリンクのビームフォーミングされた信号205を送信し得る。たとえば、基地局105-aは、ビーム参照信号(BRS)、ビーム精緻化参照信号(BRRS)、ビーム測定参照信号、チャネル状態情報参照信号(CSI-RS)、ビーム同期信号、アップリンクグラント、ブロードキャスト信号(たとえば、MIBまたはSIB)、または任意の数の他のタイプのダウンリンクメッセージを送信し得る。ビームフォーミングされた信号205(たとえば、ビームフォーミングされた信号205-a、ビームフォーミングされた信号205-b、またはビームフォーミングされた信号205-c)は、各々のビームフォーミングされた信号205が異なる方向に送信されるような、成形された方式または指向性の方式で送信され得る。ビームフォーミングされた信号205は、図1を参照して論じられたように、アンテナポートプリコーダ構成(たとえば、各々のビームフォーミングされた信号205の方向および/または形状を決定するアナログおよび/またはデジタルビームフォーミング段階)と関連付けられ得る。たとえば、ビームフォーミングされた信号205-aは第1の方向または形状において送信されることがあり、ビームフォーミングされた信号205-bは第2の方向または形状において送信されることがあり、ビームフォーミングされた信号205-cは第3の方向または形状において送信されることがある。ビームフォーミングされた信号205は、ある掃引パターンで送信されることがある。加えて、1つまたは複数のビームフォーミングされた信号205(たとえば、ビームフォーミングされた信号205-d、ビームフォーミングされた信号205-e、およびビームフォーミングされた信号205-f)を、UE115-aは送信することができ、基地局105-aは受信することができる。
【００５８】
mmWスペクトルにおいて動作するとき、チャネル条件の高速な変化が頻繁なビーム変更を促すことがある。UE115-aおよび基地局105-aが送受信のビーム方向(たとえば、ビームフォーミングされた信号205-aおよびビームフォーミングされた信号205-f)について揃っていない場合、SRの送信は成功しないことがある。いくつかの例では、基地局105-aは、UE115-aからのビームの方向を計測し、続いてそれ(たとえば、ビームフォーミングされた信号205-bおよびビームフォーミングされた信号205-e)を受信することに備え得る。
【００５９】
ワイヤレス通信システム200において、UE115-aは、ビームフォーミングされた信号205上でのアップリンク送信のためのリソースを要求するSRメッセージを基地局105-aに送信し得る。SRは、UE115-aにおける事象(たとえば、バッファステータス報告(BSR)の変化または論理チャネルグループからのアップリンクデータの到着)に応答したものであり得る。いくつかの例では、SRは1つまたは複数のビットを使用してリソースに対する要求を搬送し得る。加えて、または代わりに、UE115-aは、ビーム障害またはビーム劣化の場合に、BFRRを基地局105-aに送信し得る。本開示の態様によれば、UE115-aは、以下でより詳細に説明されるように、SRメッセージを送信するのと同様の技法を使用して、または同様の状況で、BFRRを送信し得る。SRとBFRRの両方が、予測または予見されない状況に応答したアップリンクリソースに対する要求を含み得るので、基地局105-aは、UE115-aからのこれらのUEにより生成されたアップリンクメッセージのいずれか1つがいつ来ると予想すべきかを知らないことがある。
【００６０】
いくつかの例では、UE115-aは、すでにスケジューリングされたアップリンク送信とSRを組み合わせ、または別様にそのアップリンク送信とともにSRを搬送し得る。アップリンク送信は、制御情報を含むことがあり、動的にまたは周期的にスケジューリングされたリソースであることがある。SRを基地局105-aに搬送するためのこの技法は、SRの送信の被スケジューリングモードと呼ばれることがある。たとえば、いくつかの場合、SRはHARQ肯定応答とともに搬送され得る。SRはまた、チャネル状態フィードバック(CSF)報告、またはビーム測定報告、またはサウンディング参照信号(SRS)の送信、物理アップリンク制御チャネルの送信、またはアップリンク測定参照信号の送信、または基地局105-aによってスケジューリングされた任意の他のアップリンク送信とともに搬送され得る。SRの指示は、時間、周波数、符号において多重化され、または、以前にスケジューリングされたアップリンク送信と別様に組み合わされ、もしくはそれに付加されることがある。さらに、いくつかの場合、SRは1つまたは複数のOFDMシンボルにおいて送信され得る。
【００６１】
被スケジューリングモードのSR送信の例では、SR情報はSRSを通じて示され得る。上で説明されたように、UE115-aは、いくつかのシーケンス(たとえば、Zadoff-Chuシーケンス)のうちの1つを使用してSRSを搬送し得る。いくつかの場合、UE115-aは、SRS情報に加えて、またはその代わりにSR情報を搬送するために、シーケンスを修正し、事前に定義された方法で巡回シフトを信号に適用し、またはこれらの何らかの組合せを行うことによって、SR情報を搬送し得る。いくつかの例では、SRSを搬送するために利用可能なシーケンスの一部が、代わりにSR情報を搬送するために確保され得る。
【００６２】
いくつかの場合、UE115-aは(たとえばアップリンクグラントがないとき)SRを自律的に送信し得る。そのような場合、基地局105-aはSRの送信に専用のリソースを構成することがあり、UE115-aはそれらのリソースでSRを基地局105-aに送信することがある。SRを送信するこの技法は、SR送信の自律モードと呼ばれ得る。いくつかの場合、SRの送信のための専用リソースは、RACH送信のために確保されたリソースとは異なる。たとえば、専用リソースは、別個のタイムスロットを使用することがあり(たとえば、時間領域において多重化される)、または、RACH送信のためのリソースと同じタイムスロットを、しかし異なる周波数リソースを使用することがある(たとえば、周波数領域において多重化される)。SRの送信のための専用リソースは、異なる符号またはシーケンスを使用することによってRACH送信のためのリソースと区別され得る(たとえば、符号領域において多重化される)。
【００６３】
代わりに、SRの送信のための専用リソースはRACHリソースであり得るが、UE115-aは、RACH手順を開始するのではなく、SRを搬送する特別なRACHシーケンスを使用し得る。たとえば、このシーケンスの送信はSR陽性(たとえば、送信されるべきアップリンクデータをUE115-aが有することを示すSR値)を示すことがあり、このシーケンスの送信がないことはSR陰性(たとえば、送信されるべきアップリンクデータをUE115-aが有しないことを示すSR値)を示すことがある。UE115-aによって利用されるRACH手順は、コンテンションベースまたはコンテンションフリーであり得る。
【００６４】
いくつかの場合、SRの送信のために構成されるリソースは、測定参照信号もしくは同期信号によって示され、またはそれらと別様に関連付けられることがある。さらに、測定参照信号または同期信号は、構成されたSRリソースと関連付けられ得る、ビームフォーミングされた信号205のためのビーム方向またはビーム識別情報(ID)を搬送し得る。いくつかの例では、UE115-aは複数の専用リソース上で送信し得る。たとえば、UE115-aは、信号強度が等しいまたはほぼ等しい2つのダウンリンク指向性ビームを受信することがあり、UE115-aは、専用リソース上で両方の対応するアップリンクビーム方向にSRを送信することがある。いくつかの場合、SRの送信のために構成される専用リソースは、動的に選択され、時間とともに有効化または無効化され得る。
【００６５】
いくつかの場合、UE115-aは、SRと関連付けられたいくつかの特性、送信されるべきデータと関連付けられたいくつかの特性、UE115-aの状態、またはこれらの要因のいくつかの組合せに基づいて、SRの送信のための被スケジューリングモードおよび自律モードから選択することができる。たとえば、SRの送信に使用されるビットの数が、UE115-aによって利用されるモードを決定し得る。いくつかの例では、UE115-aは、SRの送信のためのビットの数が閾値(たとえば、1ビット)以下である場合、被スケジューリングモードを使用し得る(たとえば、SRSとともにSRを送信する)。代わりに、SRの送信に使用されるビットの数が閾値以上(たとえば、2ビット以上)である場合、UE115-aは代わりに自律モードを使用してSRを搬送し得る。加えて、または代わりに、基地局105-aは、自律モードだけのために、または被スケジューリングモードだけのためにUE115-aを構成し得る。
【００６６】
いくつかの場合、UE115-aは、SRがSRの最初の送信(たとえば、新しいSRの送信)であるか、またはSRの再送信であるか、または所定の閾値を超える再送信の試行であるかに基づいて、被スケジューリングモードまたは自律モードを選択することができる。たとえば、SRがSRの最初の送信である場合、UE115-aは被スケジューリングモードを使用してSRを搬送し得る。いくつかの例では、被スケジューリングモードは、SRの最初の送信の試行のためのデフォルトの動作モードである。しかしながら、SRが以前のSRの再送信である場合、UE115-aは自律モードを選択してSRを送信し得る。いくつかの例では、UE115-aは、自律モードを選択する前に、SRのいくつかの再送信を(最大である閾値まで)試みることができる。いくつかの場合、このことはあるモードから別のモード(たとえば、被スケジューリングモードから自律モード)へ切り替えることを伴い得る。たとえば、いくつかの場合、UE115-aは、被スケジューリングモードにある間にSRを初めて送信することがある。しかしながら、UE115-aがアップリンクグラントを受信しない場合、UE115-aはSRを再送信し得る。複数の再送信の試行の後で、UE115-aは自律モードに切り替わり得る。いくつかの他の場合、UE115-aは、非周期的なアップリンク送信が原因で自律モードを選択し得る。いくつかの例では、UE115-aは、(たとえば、次の送信機会がいつであるかに基づいて)被スケジューリングモードまたは自律モードから、UE115-aがSRをより早く送信することを可能にする送信モードを選択し得る。
【００６７】
UE115-aは、SRまたは関連するデータの優先度レベルに基づいて、被スケジューリングモードまたは自律モードを選択し得る。たとえば、UE115-aは、優先度レベルの異なる、異なる論理チャネルからの異なるデータストリームを有し得る。より優先度レベルの高いデータストリームが送信されるべきである場合、UE115-aは、最も早い送信をもたらすSR送信モードを選択し得る。たとえば、UE115-aは、第1のデータストリームと関連付けられたSRを送信するために被スケジューリングモードで動作していることがあり、論理チャネルグループの優先度レベルがより高いデータストリームを受信すると、UE115-aは次いで、自律モードに切り替えて新しいSRを送信することがある。
【００６８】
いくつかの例では、UE115-aは、次のSRがいつ送信され得るかを基地局105-aが予測するのを助ける指示を基地局105-aに送信し得る。たとえば、UE115-aは、SRがいつ必要であり得るかを示すBSRを送信し得る。そのような指示は、基地局105-aが、SRの送信のために専用リソースを効率的に割り当てること、またはSRが付加され得るアップリンクリソースを示すアップリンクグラントを送信することを、容易にし得る。
【００６９】
図3は、本開示の態様による、指向性ビームへのアクセスのためのSRの送信をサポートするワイヤレス通信メッセージ300の例を示す。ワイヤレス通信メッセージ300は、UE115から基地局105に送信されるアップリンクスロット305を含み得る。アップリンクスロット305は、1つまたは複数の時間増分310(たとえば、OFDMシンボル)などの時間リソースを含み得る。しかしながら、利用されるスロットのタイプまたはワイヤレスシステムのタイプに応じて、時間の他の増分が使用され得ることを理解されたい。図2を参照して説明されたように、ワイヤレス通信メッセージ300は、自律的なSR送信モードに従った、SRの送信に専用のリソースの例を示し得る。示されてはいないが、BFRRについて以下で説明されるものと同様の状況に対する同様の技法を、UE115がSRに関して実行できることを理解されたい。アップリンクリソースに対するUEにより生成された両方の要求が、同様のステップに従い得る。
【００７０】
アップリンクスロット305は、SR領域315、制御領域320、およびデータ領域325を含み得る。各領域は1つまたは複数の時間リソースを占有し得る。制御領域320は、測定信号、参照信号、フィードバック信号、または同期信号などのアップリンク制御情報を含み得る。データ領域325はペイロードデータを含み得る。
【００７１】
SR領域315は、SRの送信のための専用リソースに対応し得る。SR領域315は図3に示されるようなスロット305の異なる部分に位置することがあり、かつ/または、示されるものよりも多いもしくは少ない時間リソースを占有することがあることを理解されたい。SR領域315によって示される専用リソースは、ネットワーク(たとえば、基地局105)によって確保されていることがあり、ダウンリンクメッセージ(たとえば、ダウンリンク同期メッセージ、測定参照信号など)を通じてUE115に示されていることがある。SR領域315の位置を示すダウンリンクメッセージは、UE115が専用リソースのビーム方向と関連付けて、それにより受信側の基地局105がSR領域315上で送信されるSRを適切に受信して復号することを可能にできるように、あるビーム方向またはビーム識別情報と関連付けられ得る。
【００７２】
SR領域315は、RACHのために確保されたリソース(たとえば、RACHスロット)とは異なることがある。しかしながら、いくつかの例では、SR領域315は、RACHリソースと重複することがあり、またはRACHリソースと別様に関連付けられることがあるが、そのような例では、UE115は、RACH手順を開始するのではなく、またはそれに加えて、SR情報を搬送する特別なRACHシーケンスを搬送し得る。いくつかの場合、SRのために構成されたリソース(たとえば、SR領域315)は、時間とともに(たとえば、スロットごとに)動的に選択され、移動され、有効化され、または無効化され得る。
【００７３】
図4Aは、本開示の態様による、指向性ビームへのアクセスのためのSRの送信をサポートするワイヤレス通信メッセージ401の例を示す。ワイヤレス通信メッセージ401は、UE115から基地局105に送信され得るアップリンクスロット405-aを含み得る。アップリンクスロット405-aは、1つまたは複数の時間増分410(たとえば、OFDMシンボル)などの時間リソースを含み得る。利用されるスロットのタイプまたはワイヤレスシステムのタイプに応じて、時間の他の増分が使用され得ることを理解されたい。図2を参照して説明されたように、ワイヤレス通信メッセージ401は、スケジューリングされたSR送信モードに従った、アップリンクメッセージとともにSRを搬送する例を示し得る。示されてはいないが、BFRRについて以下で説明されるものと同様の状況に対する同様の技法を、UE115がSRに関して実行できることを理解されたい。アップリンクリソースに対するUEにより生成された両方の要求が、同様のステップに従い得る。
【００７４】
アップリンクスロット405-aは、別個のデータ領域425-aおよび領域415へと分割されることがあり、領域415はさらに、制御領域420-aおよびSR領域430-aからなる。各領域は1つまたは複数の時間リソースを占有し得る。アップリンクスロット405-aのリソースは、基地局105からUE115に送信されるアップリンクグラントによってスケジューリングされ示されていることがある。
【００７５】
図2を参照して説明されたように、UE115は、送信の被スケジューリングモードに従って、制御情報とともに、またはスロット405-aの制御チャネル上でSR情報を搬送し得る。示されるように、制御領域420-aおよびSR領域430-aは、単一の時間リソース内でTDDを使用して一緒に組み合わされ得る。制御領域420-aおよびSR領域430-aの近接は、アップリンク送信のために以前にスケジューリングされた制御情報とともにSR情報を搬送することを示すことが意図されている。本明細書で説明されるように、SR情報は、制御情報と多重化されることがあり(たとえば、TDDまたはFDD)、制御情報のためにすでに確保されている時間リソースもしくは周波数リソースに隣接して制御情報に付加されることがあり、または、制御情報によって、もしくは制御情報とともに別様に搬送されることがある。
【００７６】
制御領域420-aに位置する制御情報はSRSを含み得る。いくつかの例では、制御領域420-aは制御チャネル(たとえば、PUCCH)を表す。UE115は、SRS情報を搬送することに加えてSRを搬送する、異なるシーケンス、巡回シフト、または両方の組合せの使用を通じて、SRS信号を通じてSR情報を示し得る。制御領域420-aは、HARQ肯定応答、CSF報告、ビーム測定報告、またはアップリンク測定参照信号の送信などの、SRS以外の他のアップリンクメッセージを表し得る。SRSと同様に、スケジューリングされた送信モードに従ってSR情報を搬送するために、他のタイプの制御情報が使用され得る。
【００７７】
また、SR領域430-aおよび制御領域420-aは重複しておらず単一のシンボルを占有するものとして示されているが、SR領域430-aは、制御領域420-aと多重化され(たとえば、TDD)または別様に組み合わされ得る。さらに、いくつかの場合、SR領域430-aは1つよりも多くのOFDMシンボルを占有し得る。
【００７８】
図4Bは、本開示の態様による、指向性ビームへのアクセスのためのSRの送信をサポートするワイヤレス通信メッセージ402の例を示す。ワイヤレス通信メッセージ402は、図4Aを参照して説明されたワイヤレス通信メッセージ401の追加の例であり得る。ワイヤレス通信メッセージ402は、UE115から基地局105に送信され得るアップリンクスロット405-bを含み得る。アップリンクスロット405-bは、1つまたは複数の時間増分435(たとえば、OFDMシンボル)などの時間リソースを含み得る。利用されるスロットのタイプまたはワイヤレスシステムのタイプに応じて、時間の他の増分が使用され得ることを理解されたい。図2を参照して説明されたように、ワイヤレス通信メッセージ402は、スケジューリングされたSR送信モードに従った、アップリンクメッセージとともにSRを搬送する例を示し得る。示されてはいないが、BFRRについて以下で説明されるものと同様の状況に対する同様の技法を、UE115がSRに関して実行できることを理解されたい。アップリンクリソースに対するUEにより生成された両方の要求が、同様のステップに従い得る。
【００７９】
アップリンクスロット405-bは、1つまたは複数の時間増分435および1つまたは複数の周波数増分440などの時間リソースおよび周波数リソース(たとえば、サブキャリア)を含み得る。利用されるスロットのタイプまたはワイヤレスシステムのタイプに応じて、時間および周波数の他の増分が使用され得ることを理解されたい。
【００８０】
アップリンクスロット405-bは、別個のデータ領域425-b、制御領域420-a、およびSR領域430-aへと分割され得る。各領域は1つまたは複数の時間リソースおよび周波数リソースを占有し得る。図示されるように、SR領域430-bおよび制御領域420-bは、同じ時間増分435を、しかし異なる周波数リソース440を占有し得る。上で説明された図4Aと同様に、SR領域430-bおよび制御領域420-bの近接は、制御領域420-bにおいて制御情報とともにSR情報を搬送することによって、またはそのこととともに、SR領域430-bにおいてSR情報を搬送することを示すことが意図されている。また、上で説明されたように、制御領域420-bの中の制御情報は、SRS、HARQ肯定応答、CSF報告、ビーム測定報告、またはアップリンク測定参照信号の送信を含み得る。
【００８１】
また、SR領域430-aおよび制御領域420-aは重複しておらず別個の周波数増分440を占有するものとして示されているが、SR領域430-bは、制御領域420-bと多重化され(たとえば、FDM)または別様に組み合わされ得る。さらに、いくつかの場合、SR領域430-bは1つよりも多くのOFDMシンボルを占有し得る。
【００８２】
図5は、本開示の態様による、指向性ビームへのアクセスのためのSRの送信のプロセスフロー500の例を示す。プロセスフロー500によって示されるプロセスは、図1および図2を参照して説明されたようなUE115および基地局105の例であり得る、UE115-bおよび基地局105-bによって実施され得る。いくつかの例では、フロー図500によって示されるプロセスは、mmW通信またはサブ6GHzスペクトルを利用するワイヤレスシステムにおいて実施され得る。
【００８３】
ステップ505において、UE115-bは、基地局105-bから指向性ビーム(たとえば、ビームフォーミングされた信号)上でダウンリンク送信を受信し得る。ダウンリンク送信は、同期信号、MIB、SIB、または図2を参照して説明された任意の他のタイプのダウンリンク制御メッセージを含み得る。UE115-bは、基地局105-bとの接続を確立するために、ダウンリンク送信において示される情報(たとえば、タイミング同期、アクセスリソースの位置など)を使用し得る。
【００８４】
いくつかの例では、基地局105-bは、UEにより生成されたアップリンクメッセージの送信のために専用リソース(たとえば、SRまたはBFRR)を確保することができ、ステップ505においてダウンリンク送信でこの情報を搬送することができる。以下で論じられるように、UE115-bは、これらの専用リソースを特定することができ、自律的な送信モードにおいてそれらのリソース上でSRまたはBFRRを送信することができる。いくつかの例では、ダウンリンクのビームフォーミングされた送信は識別情報を含み、UE115-bは後続のSR送信またはBFRR送信のためのビームペアを確立するためにその識別情報を専用リソースと関連付け得る。
【００８５】
ステップ510において、ワイヤレス接続がUE115-bと基地局105-bとの間で確立され得る。接続を確立することは、タイミングを同期すること、ランダムアクセス手順を利用することなどを含み得る。
【００８６】
ステップ515において、UE115-bは基地局105-bからアップリンクグラントを受信し得る。いくつかの場合、受信されたアップリンクグラントは、以前に送信されたUEにより生成されたアップリンクメッセージに応答するものであることがあり、または代わりにステップ510において接続を確立したことに応答するものであることがある。ステップ515におけるアップリンクグラントは、後続のアップリンク送信のためにUE115-bが使用すべきアップリンクリソース(たとえば、アップリンクデータメッセージ、アップリンク制御メッセージ、またはこれらの組合せ)を示し得る。
【００８７】
ステップ520において、UE115-bは、送信のためにUEにより生成されたアップリンクメッセージ(たとえば、SRまたはBFRR)を特定し得る。たとえば、SRは、BSRの変化またはアップリンクデータの到着などの、UE115-bにおける何らかの事象によってトリガされ得る。加えて、または代わりに、BFRRは、ビーム障害またはビーム劣化の場合などの、UE115-bにおける何らかの事象によってトリガされ得る。いくつかの例では、UE115-bはさらに、SRまたはBFRRと関連付けられた1つまたは複数の特性を特定し得る。SRの特性は、SRと関連付けられたビットの数、SRがSRの最初の送信であるかもしくは再送信であるか(または再送信である場合、どれだけの再送信の試行が行われたか)、またはSRと関連付けられた優先度レベルを含み得る。
【００８８】
ステップ525において、UE115-bは、特定された特性に基づいて、自律モードまたは被スケジューリングモードを使用してUEにより生成されたアップリンクメッセージ(たとえば、SRまたはBFRR)を送信すると決定し得る。たとえば、UE115-bは、SRと関連付けられたビットの数が所定の閾値を満たさない場合、SR送信のために被スケジューリングモードを選択し得る。いくつかの例では、UE115-bは、SRと関連付けられたビットの数が所定の閾値を満たす場合、自律モードを選択し得る。
【００８９】
いくつかの例では、基地局105-bは、利用可能なリソース、SR送信に対する予測される需要、ネットワーク効率、または任意の数の他の要因に基づいて、自律モードまたは被スケジューリングモードのいずれかで送信するようにUE115-bを構成し得る。
【００９０】
いくつかの例では、UE115-bは、SRがSRの最初の送信である場合、または、SRがSRの再送信であるとともに、SRの再送信の再送信試行の回数が所定の閾値を満たさない場合、SRの送信のために被スケジューリングモードを選択することができる。UE115-bは、SRがSRの再送信であるとともに、SRの再送信の再送信試行の回数が所定の閾値を満たす場合、SRの送信のために自律モードを選択することができる。
【００９１】
いくつかの例では、UE115-bは、SRと関連付けられた優先度レベル(たとえば、SRをトリガした論理チャネルグループの優先度レベル)に基づいてSRを送信し得る。優先度レベルに基づいて、UE115-bは、自律モードが、被スケジューリングモードが使用される場合よりも早いSRの送信を許可する場合、自律モードを使用してSRを送信し、被スケジューリングモードが、自律モードが使用される場合よりも早いSRの送信を許可する場合、被スケジューリングモードを使用してSRを送信し得る。
【００９２】
ステップ530において、UE115-bはSRを基地局105-bに送信し得る。いくつかの場合、UE115-bが自律モードでのSRの送信を選択する場合、UE115-bは、基地局105-bによるSRの送信に専用のリソース(たとえば、ステップ505においてダウンリンク指向性ビームで示される専用リソース)上でSRを送信し得る。さらに、いくつかの例では、ダウンリンク指向性ビームと専用リソースとの間の関連付けは、SRがどのビーム方向から来ているかを基地局105-bが知るように、530においてSRを送信するために使用され得る。
【００９３】
いくつかの例では、UE115-bが被スケジューリングモードでSRの送信を選択する場合、UE115-bはスケジューリングされたアップリンク送信でSRを送信し得る。たとえば、スケジューリングされたアップリンク送信は、ステップ515において受信されたアップリンクグラントと関連付けられ得る。図2を参照して説明されたように、UE115-bは、SRをアップリンク送信と多重化し、アップリンク送信に付加し、または別様にアップリンク送信とともに搬送し得る。いくつかの例では、SRが付加されるアップリンクメッセージは、HARQ肯定応答、またはCSF、またはビーム測定報告、またはSRS、またはアップリンク測定参照信号、または基地局105-bによってスケジューリングされる任意の他の送信を含み得る。
【００９４】
ステップ535において、基地局105-bは、ステップ530において受信されたSRに応答してアップリンクグラントをUE115-bに送信し得る。
【００９５】
図6は、本開示の様々な態様による、指向性ビームへのアクセスのためのSRの送信をサポートするワイヤレスデバイス605のブロック図600を示す。ワイヤレスデバイス605は、図1を参照して説明されたUE115の態様の例であり得る。ワイヤレスデバイス605は、受信機610、UE SRマネージャ615、および送信機620を含み得る。ワイヤレスデバイス605はプロセッサも含み得る。これらの構成要素の各々は、(たとえば、1つまたは複数のバスを介して)互いに通信していることがある。
【００９６】
受信機610は、パケット、ユーザデータ、または様々な情報チャネル(たとえば、制御チャネル、データチャネル、および指向性ビームへのアクセスのためのスケジューリング要求の送信に関する情報など)と関連付けられた制御情報などの情報を受信し得る。情報は、デバイスの他の構成要素に渡され得る。受信機610は、図9を参照して説明されるトランシーバ935の態様の例であり得る。
【００９７】
受信機610は、ダウンリンク指向性ビーム上でダウンリンク送信を受信し、またはアップリンク送信のためのリソースを示すグラントを受信し、またはmmW通信システムにおけるビームフォーミングされた送信のセットのうちの1つでアップリンクグラントを受信し、またはビームフォーミングされた同期信号を受信し得る。いくつかの場合、ダウンリンク送信は、同期信号、MIB、またはSIBを含む。ビームフォーミングされた送信はまた、サブ6GHzスペクトルにおいて発生し得る。
【００９８】
UE SRマネージャ615は、図9を参照して説明されるUE SRマネージャ915の態様の例であり得る。
【００９９】
UE SRマネージャ615は、送信のためにUEにより生成されたアップリンクメッセージ(たとえば、SRまたはBFRR)を特定し、UEにより生成されたアップリンクメッセージと関連付けられた特性を特定し、特定された特性に基づいて、UEにより生成されたアップリンクメッセージを被スケジューリングモードまたは自律モードを使用して送信すると決定することができる。いくつかの他の場合、UE SRマネージャ615はまた、送信のためにUEにより生成されたアップリンクメッセージを特定し、受信されたビームフォーミングされた同期信号と関連付けられたUEにより生成されたアップリンクメッセージの送信のための専用リソースを特定することができる。
【０１００】
送信機620は、デバイスの他の構成要素によって生成された信号を送信することができる。いくつかの例では、送信機620は、トランシーバモジュールの中で受信機610と併置され得る。たとえば、送信機620は、図9を参照して説明されるトランシーバ935の態様の例であり得る。送信機620は、単一のアンテナを含み得るか、またはアンテナのセットを含み得る。
【０１０１】
送信機620は、被スケジューリングモードまたは自律モードを使用して、UEにより生成されたアップリンクメッセージを送信し得る。さらに、送信機620は、自律モードを使用して専用リソース上でUEにより生成されたアップリンクメッセージを送信し、または、被スケジューリングモードを使用してリソース上でUEにより生成されたアップリンクメッセージを送信し得る。いくつかの他の場合、送信機620は、被スケジューリングモードまたは自律モードを使用して、UEにより生成された第2のアップリンクメッセージを送信し得る。
【０１０２】
図7は、本開示の様々な態様による、指向性ビームへのアクセスのためのSRの送信をサポートするワイヤレスデバイス705のブロック図700を示す。ワイヤレスデバイス705は、図1および図6を参照して説明されたようなワイヤレスデバイス605またはUE115の態様の例であり得る。ワイヤレスデバイス705は、受信機710、UE SRマネージャ715、および送信機720を含み得る。ワイヤレスデバイス705はプロセッサも含み得る。これらの構成要素の各々は、(たとえば、1つまたは複数のバスを介して)互いに通信していることがある。
【０１０３】
受信機710は、パケット、ユーザデータ、または様々な情報チャネル(たとえば、制御チャネル、データチャネル、および指向性ビームへのアクセスのためのスケジューリング要求の送信に関する情報など)と関連付けられた制御情報などの情報を受信し得る。情報は、デバイスの他の構成要素に渡され得る。受信機710は、図9を参照して説明されるトランシーバ935の態様の例であり得る。
【０１０４】
UE SRマネージャ715は、図9を参照して説明されるUE SRマネージャ915の態様の例であり得る。
【０１０５】
UE SRマネージャ715はまた、SR識別器725、SR特性識別器730、SRモード選択構成要素735、およびSRリソース識別器740を含み得る。
【０１０６】
SR識別器725は、送信のためにUEにより生成されたアップリンクメッセージ(たとえば、SRまたはBFRR)を特定し、送信のためにUEにより生成された第2のアップリンクメッセージを特定し得る。
【０１０７】
SR特性識別器730は、SRと関連付けられた特性を特定し得る。いくつかの場合、特定された特性は、SRと関連付けられたビットの数を含む。いくつかの場合、特定された特性は、SRがSRの再送信であるかどうかの指示を含む。いくつかの場合、特定された特性は、SRと関連付けられた優先度レベルを含む。
【０１０８】
SRモード選択構成要素735は、特定された特性に基づいて、被スケジューリングモードまたは自律モードを使用してSRを送信すると決定し得る。いくつかの場合、SRモード選択構成要素735は、ビットの数が所定の閾値を満たさない場合、被スケジューリングモードを使用してSRを送信すると決定し得る。いくつかの場合、SRモード選択構成要素735は、ビットの数が所定の閾値を満たす場合、自律モードを使用してSRを送信すると決定し得る。
【０１０９】
いくつかの場合、SRモード選択構成要素735は、SRがSRの最初の送信である場合、または、SRがSRの再送信であるとともに、SRの再送信の再送信試行の回数が閾値を満たさない場合、被スケジューリングモードを使用してSRを送信すると決定し得る。いくつかの場合、SRモード選択構成要素735は、SRがSRの再送信であるとともに、SRの再送信の再送信試行の回数が閾値を満たす場合、自律モードを使用してSRを送信すると決定し得る。
【０１１０】
いくつかの場合、SRモード選択構成要素735は、自律モードが、被スケジューリングモードが使用される場合より早いSRの送信を許可する場合、自律モードを使用してSRを送信すると決定し得る。いくつかの場合、SRモード選択構成要素735は、被スケジューリングモードが、自律モードが使用される場合よりも早いSRの送信を許可する場合、被スケジューリングモードを使用してSRを送信すると決定し得る。いくつかの場合、SRモード選択構成要素735は、被スケジューリングモードから自律モードに、または自律モードから被スケジューリングモードに切り替えると決定し得る。
【０１１１】
SRリソース識別器740は、UEにより生成されたアップリンクメッセージの送信のための専用リソースを特定し、受信されたビームフォーミングされた同期信号と関連付けられたUEにより生成されたアップリンクメッセージの送信のための専用リソースを特定することができる。いくつかの場合、専用リソースは、RACH送信のために確保されたリソースとは異なる。いくつかの場合、専用リソースはRACHの送信のために確保されたリソースであり、UEにより生成されたアップリンクメッセージを送信することは、UEにより生成されたアップリンクメッセージを示すためにRACHシーケンスを送信することを含む。
【０１１２】
送信機720は、デバイスの他の構成要素によって生成された信号を送信することができる。いくつかの例では、送信機720は、トランシーバモジュールの中で受信機710と併置され得る。たとえば、送信機720は、図9を参照して説明されるトランシーバ935の態様の例であり得る。送信機720は、単一のアンテナを含み得るか、またはアンテナのセットを含み得る。
【０１１３】
図8は、本開示の様々な態様による、指向性ビームへのアクセスのためのSRの送信をサポートするUE SRマネージャ815のブロック図800を示す。UE SRマネージャ815は、図6、図7、および図9を参照して説明されるUE SRマネージャ615、UE SRマネージャ715、またはUE SRマネージャ915の態様の例であり得る。UE SRマネージャ815は、SR識別器820、SR特性識別器825、SRモード選択構成要素830、SRリソース識別器835、およびSRリソース関連付け構成要素840を含み得る。これらのモジュールの各々は、(たとえば、1つまたは複数のバスを介して)互いと直接または間接的に通信し得る。
【０１１４】
SR識別器820は、送信のためにUEにより生成されたアップリンクメッセージ(たとえば、SRまたはBFRR)を特定し、送信のためにUEにより生成された第2のアップリンクメッセージを特定し得る。
【０１１５】
SR特性識別器825は、SRと関連付けられた特性を特定し得る。いくつかの場合、特定された特性は、SRと関連付けられたビットの数を含む。いくつかの場合、特定された特性は、SRがSRの再送信であるかどうかの指示を含む。いくつかの場合、特定された特性は、SRと関連付けられた優先度レベルを含む。
【０１１６】
SRモード選択構成要素830は、特定された特性に基づいて、被スケジューリングモードまたは自律モードを使用してSRを送信すると決定し得る。いくつかの場合、SRモード選択構成要素830は、ビットの数が所定の閾値を満たさない場合、被スケジューリングモードを使用してSRを送信すると決定し得る。いくつかの場合、SRモード選択構成要素830は、ビットの数が所定の閾値を満たす場合、自律モードを使用してSRを送信すると決定し得る。
【０１１７】
いくつかの場合、SRモード選択構成要素830は、SRがSRの最初の送信である場合、または、SRがSRの再送信であるとともに、SRの再送信の再送信試行の回数が閾値を満たさない場合、被スケジューリングモードを使用してSRを送信すると決定し得る。いくつかの場合、SRモード選択構成要素830は、SRがSRの再送信であるとともに、SRの再送信の再送信試行の回数が閾値を満たす場合、自律モードを使用してSRを送信すると決定し得る。
【０１１８】
いくつかの場合、SRモード選択構成要素830は、自律モードが、被スケジューリングモードが使用される場合より早いSRの送信を許可する場合、自律モードを使用してSRを送信すると決定し得る。いくつかの場合、SRモード選択構成要素830は、被スケジューリングモードが、自律モードが使用される場合よりも早いSRの送信を許可する場合、被スケジューリングモードを使用してSRを送信すると決定し得る。いくつかの場合、SRモード選択構成要素830は、被スケジューリングモードから自律モードに、または自律モードから被スケジューリングモードに切り替えると決定し得る。
【０１１９】
SRリソース識別器835は、SRの送信のための専用リソースを特定し、受信されたビームフォーミングされた同期信号と関連付けられたSRの送信のための専用リソースを特定することができる。いくつかの場合、専用リソースは、RACH送信のために確保されたリソースとは異なる。たとえば、専用リソースは、別個のタイムスロットを使用することがあり、または、RACH送信と同じタイムスロットを、しかし異なる周波数リソースもしくは符号(すなわちシーケンス)リソースを使用することがある。いくつかの場合、専用リソースはRACH送信のために確保されたリソースであり、SRを送信することは、UE115の識別情報およびSRを示すため特定のRACHシーケンスを送信することを含む。この場合、このシーケンスの送信はSR陽性(たとえば、送信されるべきアップリンクデータをUE115が有することを示すSR値)を示すことがあり、このシーケンスの送信がないことはSR陰性(たとえば、送信されるべきアップリンクデータをUE115が有しないことを示すSR値)を示すことがある。
【０１２０】
SRリソース関連付け構成要素840は、専用リソースをダウンリンク指向性ビームと関連付け、SRをアップリンク送信と関連付け得る。いくつかの場合、アップリンク送信は、HARQ肯定応答、またはCSF報告、またはビーム測定報告、またはSRS、またはアップリンク測定参照信号、またはこれらの組合せを含む。いくつかの場合、アップリンク送信はSRSを含み、被スケジューリングモードを使用してSRS上でSRを送信することは、SRを示す、SRSと関連付けられたシーケンス、SRSと関連付けられた巡回シフト、または両方を示すことを含む。
【０１２１】
図9は、本開示の様々な態様による、指向性ビームへのアクセスのためのSRの送信をサポートするデバイス905を含むシステム900の図を示す。デバイス905は、たとえば、図1、図6、および図7を参照して説明されたような、ワイヤレスデバイス605、ワイヤレスデバイス705、もしくはUE115の構成要素の例であり得るか、またはそれを含み得る。デバイス905は、UE SRマネージャ915、プロセッサ920、メモリ925、ソフトウェア930、トランシーバ935、アンテナ940、およびI/Oコントローラ945を含めて、通信を送信および受信するための構成要素を含む、双方向音声通信およびデータ通信のための構成要素を含み得る。これらの構成要素は、1つまたは複数のバス(たとえば、バス910)を介して電気的に通信していることがある。デバイス905は、1つまたは複数の基地局105とワイヤレスに通信し得る。
【０１２２】
プロセッサ920は、インテリジェントハードウェアデバイス(たとえば、汎用プロセッサ、デジタル信号プロセッサ(DSP)、中央処理ユニット(CPU)、マイクロコントローラ、特定用途向け集積回路(ASIC)、フィールドプログラマブルゲートアレイ(FPGA)、プログラマブル論理デバイス、ディスクリートゲートもしくはトランジスタ論理構成要素、ディスクリートハードウェア構成要素、またはそれらの任意の組合せ)を含み得る。いくつかの場合、プロセッサ920は、メモリコントローラを使用して、メモリアレイを動作させるように構成され得る。他の場合には、メモリコントローラはプロセッサ920に統合され得る。プロセッサ920は、様々な機能(たとえば、指向性ビームへのアクセスのためのSRの送信をサポートする機能またはタスク)を実行するためにメモリに記憶されたコンピュータ可読命令を実行するように構成され得る。
【０１２３】
メモリ925は、ランダムアクセスメモリ(RAM)および読取り専用メモリ(ROM)を含み得る。メモリ925は、実行されると、プロセッサに、本明細書で説明される様々な機能を実行させる命令を含む、コンピュータ可読のコンピュータ実行可能ソフトウェア930を記憶し得る。いくつかの場合、メモリ925は、とりわけ、周辺構成要素またはデバイスとの相互作用などの基本的なハードウェア動作および/またはソフトウェア動作を制御し得る基本入出力システム(BIOS)を含み得る。
【０１２４】
ソフトウェア930は、指向性ビームへのアクセスのためのスケジューリング要求の送信をサポートするためのコードを含む、本開示の態様を実装するためのコードを含み得る。ソフトウェア930は、システムメモリまたは他のメモリなどの、非一時的コンピュータ可読媒体に記憶され得る。いくつかの場合、ソフトウェア930は、プロセッサによって直接実行可能ではないことがあるが、(たとえば、コンパイルされ、実行されると)本明細書で説明される機能をコンピュータに実行させることがある。
【０１２５】
トランシーバ935は、上で説明されたように、1つまたは複数のアンテナ、有線リンク、またはワイヤレスリンクを介して双方向に通信し得る。たとえば、トランシーバ935は、ワイヤレストランシーバを表すことがあり、別のワイヤレストランシーバと双方向に通信することがある。トランシーバ935は、パケットを変調し、変調されたパケットを送信のためにアンテナに与え、かつアンテナから受信されたパケットを復調するためのモデムも含み得る。
【０１２６】
いくつかの場合、ワイヤレスデバイスは、単一のアンテナ940を含み得る。しかしながら、いくつかの場合、デバイスは、複数のワイヤレス送信を同時に送信または受信することが可能であり得る複数のアンテナ940を有し得る。
【０１２７】
I/Oコントローラ945は、デバイス905のための入力信号および出力信号を管理し得る。I/Oコントローラ945はまた、デバイス905に統合されていない周辺装置を管理し得る。いくつかの場合、I/Oコントローラ945は、外部周辺装置への物理接続またはポートを表すことがある。いくつかの場合、I/Oコントローラ945は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどの、オペレーティングシステムを利用し得る。
【０１２８】
図10は、本開示の様々な態様による、指向性ビームへのアクセスのためのSRの送信をサポートするワイヤレスデバイス1005のブロック図1000を示す。ワイヤレスデバイス1005は、図1を参照して説明されたような基地局105の態様の例であり得る。ワイヤレスデバイス1005は、受信機1010、基地局SRマネージャ1015、および送信機1020を含み得る。ワイヤレスデバイス1005はプロセッサも含み得る。これらの構成要素の各々は、(たとえば、1つまたは複数のバスを介して)互いに通信していることがある。
【０１２９】
受信機1010は、パケット、ユーザデータ、または様々な情報チャネル(たとえば、制御チャネル、データチャネル、および指向性ビームへのアクセスのためのスケジューリング要求の送信に関する情報など)と関連付けられた制御情報などの情報を受信し得る。情報は、デバイスの他の構成要素に渡され得る。レシーバ1010は、図13を参照して説明されるトランシーバ1335の態様の例であり得る。
【０１３０】
受信機1010は、被スケジューリングモードまたは自律モードを使用して、UEにより生成されたアップリンクメッセージ(たとえば、SRまたはBFRR)を受信し得る。いくつかの場合、受信機1010は、自律モードを使用して専用リソース上でSRを受信し、または被スケジューリングモードを使用してリソース上でSRを受信し得る。いくつかの場合、受信機1010は、被スケジューリングモードもしくは自律モードを使用して第2のSRを受信し、または、mmW通信システムにおいて、アップリンクグラントによって示される専用リソース上でSRを受信し得る。
【０１３１】
基地局SRマネージャ1015は、図13を参照して説明される基地局SRマネージャ1315の態様の例であり得る。
【０１３２】
基地局SRマネージャ1015は、UEにより生成されたアップリンクメッセージ(たとえば、SRまたはBFRR)と関連付けられた特性を特定するようにUE115を構成し、特定された特性に基づいて被スケジューリングモードまたは自律モードを使用してSRまたはBFRRを送信すると決定するようにUE115を構成し得る。基地局SRマネージャ1015はまた、送信のためにUEにより生成されたアップリンクメッセージを特定するようにUE115を構成し得る。基地局SRマネージャ1015はまた、送信のためにUEにより生成されたアップリンクメッセージを特定するようにUE115を構成し、受信されたビームフォーミングされた同期信号と関連付けられたUEにより生成されたアップリンクメッセージの送信のための専用リソースを特定するようにUE115を構成し得る。
【０１３３】
送信機1020は、デバイスの他の構成要素によって生成された信号を送信することができる。いくつかの例では、送信機1020は、トランシーバモジュールの中で受信機1010と併置され得る。たとえば、送信機1020は、図13を参照して説明されるトランシーバ1335の態様の例であり得る。送信機1020は、単一のアンテナを含み得るか、またはアンテナのセットを含み得る。
【０１３４】
送信機1020は、ダウンリンク指向性ビーム上でダウンリンク送信を送信し、またはアップリンク送信のためのリソースを示すグラントを送信し、またはmmW通信システムにおけるビームフォーミングされた送信のセットのうちの1つでアップリンクグラントを送信し、またはビームフォーミングされた同期信号を送信し得る。いくつかの場合、ダウンリンク送信は、同期信号、MIB、またはSIBを含む。ビームフォーミングされた送信はまた、サブ6GHzスペクトルにおいて発生し得る。
【０１３５】
図11は、本開示の様々な態様による、指向性ビームへのアクセスのためのSRの送信をサポートするワイヤレスデバイス1105のブロック図1100を示す。ワイヤレスデバイス1105は、図1および図10を参照して説明されたようなワイヤレスデバイス1005または基地局105の態様の例であり得る。ワイヤレスデバイス1105は、受信機1110、基地局SRマネージャ1115、および送信機1120を含み得る。ワイヤレスデバイス1105はプロセッサも含み得る。これらの構成要素の各々は、(たとえば、1つまたは複数のバスを介して)互いに通信していることがある。
【０１３６】
受信機1110は、パケット、ユーザデータ、または様々な情報チャネル(たとえば、制御チャネル、データチャネル、および指向性ビームへのアクセスのためのスケジューリング要求の送信に関する情報など)と関連付けられた制御情報などの情報を受信し得る。情報は、デバイスの他の構成要素に渡され得る。受信機1110は、図13を参照して説明されるトランシーバ1335の態様の例であり得る。
【０１３７】
基地局SRマネージャ1115は、図13を参照して説明される基地局SRマネージャ1315の態様の例であり得る。
【０１３８】
基地局SRマネージャ1115はまた、SR識別器1125、SRモード選択構成要素1130、およびSRリソース関連付け構成要素1135を含み得る。
【０１３９】
SR識別器1125は、UEにより生成されたアップリンクメッセージ(たとえば、SRまたはBFRR)と関連付けられた特性を特定するようにUE115を構成し、送信のためにUEにより生成された第2のアップリンクメッセージを特定するようにUE115を構成し、送信のためにUEにより生成されたアップリンクメッセージを特定するようにUE115を構成し得る。
【０１４０】
SRモード選択構成要素1130は、特定された特性に基づいて、被スケジューリングモードまたは自律モードを使用してSRを送信すると決定するように、UE115を構成し得る。いくつかの場合、SRモード選択構成要素1130は、ビットの数が所定の閾値を満たさない場合、被スケジューリングモードを使用してSRを送信するように、UE115を構成し得る。いくつかの場合、SRモード選択構成要素1130は、ビットの数が所定の閾値を満たす場合、自律モードを使用してSRを送信するように、UE115を構成し得る。
【０１４１】
いくつかの場合、SRモード選択構成要素1130は、SRがSRの最初の送信である場合、または、SRがSRの再送信であるとともに、SRの再送信の再送信試行の回数が閾値を満たさない場合、被スケジューリングモードを使用してSRを送信するように、UE115を構成し得る。いくつかの場合、SRモード選択構成要素1130は、SRがSRの再送信であるとともに、SRの再送信の再送信試行の回数が閾値を満たす場合、自律モードを使用してSRを送信するように、UE115を構成し得る。
【０１４２】
いくつかの場合、SRモード選択構成要素1130は、自律モードが、被スケジューリングモードが使用される場合より早いSRの送信を許可する場合、自律モードを使用してSRを送信するように、UE115を構成し得る。いくつかの場合、SRモード選択構成要素1130は、被スケジューリングモードが、自律モードが使用される場合よりも早いSRの送信を許可する場合、被スケジューリングモードを使用してSRを送信するように、UE115を構成し得る。いくつかの場合、SRモード選択構成要素1130は、被スケジューリングモードから自律モードに、または自律モードから被スケジューリングモードに切り替えるように、UE115を構成し得る。
【０１４３】
SRリソース関連付け構成要素1135は、専用リソースとダウンリンク指向性ビームとの間の関連付けを示し、またはSRをアップリンク送信と関連付け、または受信されたビームフォーミングされた同期信号と関連付けられたSRの送信のための専用リソースを特定するようにUE115を構成し得る。いくつかの場合、アップリンク送信は、HARQ肯定応答、CSF報告、ビーム測定報告、SRS、アップリンク測定参照信号、またはこれらの組合せを含む。いくつかの場合、アップリンク送信はSRSを含み、被スケジューリングモードを使用してSRS上でSRを受信することは、SRを示す、SRSと関連付けられたシーケンス、SRSと関連付けられた巡回シフト、または両方を受信することを含む。
【０１４４】
送信機1120は、デバイスの他の構成要素によって生成された信号を送信することができる。いくつかの例では、送信機1120は、トランシーバモジュールの中で受信機1110と併置され得る。たとえば、送信機1120は、図13を参照して説明されるトランシーバ1335の態様の例であり得る。送信機1120は、単一のアンテナを含み得るか、またはアンテナのセットを含み得る。
【０１４５】
図12は、本開示の様々な態様による、指向性ビームへのアクセスのためのSRの送信をサポートする基地局SRマネージャ1215のブロック図1200を示す。基地局SRマネージャ1215は、図10、図11、および図13を参照して説明される基地局SRマネージャ1315の態様の例であり得る。基地局SRマネージャ1215は、SR識別器1220、SRモード選択構成要素1225、SRリソース関連付け構成要素1230、SR特性識別器1235、およびSRリソース識別器1240を含み得る。これらのモジュールの各々は、(たとえば、1つまたは複数のバスを介して)互いと直接または間接的に通信し得る。
【０１４６】
SR識別器1220は、UEにより生成されたアップリンクメッセージ(たとえば、SRまたはBFRR)と関連付けられた特性を特定するようにUE115を構成し、送信のためにUEにより生成された第2のアップリンクメッセージを特定するようにUE115を構成し、送信のためにUEにより生成されたアップリンクメッセージを特定するようにUE115を構成し得る。
【０１４７】
SRモード選択構成要素1225は、特定された特性に基づいて、被スケジューリングモードまたは自律モードを使用してSRを送信すると決定するように、UE115を構成し得る。いくつかの場合、SRモード選択構成要素1225は、ビットの数が所定の閾値を満たさない場合、被スケジューリングモードを使用してSRを送信するように、UE115を構成し得る。いくつかの場合、SRモード選択構成要素1225は、ビットの数が所定の閾値を満たす場合、自律モードを使用してSRを送信するように、UE115を構成し得る。
【０１４８】
いくつかの場合、SRモード選択構成要素1225は、SRがSRの最初の送信である場合、または、SRがSRの再送信であるとともに、SRの再送信の再送信試行の回数が閾値を満たさない場合、被スケジューリングモードを使用してSRを送信するように、UE115を構成し得る。いくつかの場合、SRモード選択構成要素1225は、SRがSRの再送信であるとともに、SRの再送信の再送信試行の回数が閾値を満たす場合、自律モードを使用してSRを送信するように、UE115を構成し得る。
【０１４９】
いくつかの場合、SRモード選択構成要素1225は、自律モードが、被スケジューリングモードが使用される場合より早いSRの送信を許可する場合、自律モードを使用してSRを送信するように、UE115を構成し得る。いくつかの場合、SRモード選択構成要素1225は、被スケジューリングモードが、自律モードが使用される場合よりも早いSRの送信を許可する場合、被スケジューリングモードを使用してSRを送信するように、UE115を構成し得る。いくつかの場合、SRモード選択構成要素1225は、被スケジューリングモードから自律モードに、または自律モードから被スケジューリングモードに切り替えるように、UE115を構成し得る。
【０１５０】
SRリソース関連付け構成要素1230は、専用リソースとダウンリンク指向性ビームとの間の関連付けを示し、またはSRをアップリンク送信と関連付け、または受信されたビームフォーミングされた同期信号と関連付けられたSRの送信のための専用リソースを特定するようにUE115を構成し得る。いくつかの場合、アップリンク送信は、HARQ肯定応答、CSF報告、ビーム測定報告、SRS、アップリンク測定参照信号、またはこれらの組合せを含む。いくつかの場合、アップリンク送信はSRSを含み、被スケジューリングモードを使用してSRS上でSRを受信することは、SRを示す、SRSと関連付けられたシーケンス、SRSと関連付けられた巡回シフト、または両方を受信することを含む。
【０１５１】
SR特性識別器1235は、SRと関連付けられた特性を特定し得る。いくつかの場合、特定された特性は、SRと関連付けられたビットの数を含む。いくつかの場合、特定された特性は、SRがSRの再送信であるかどうかの指示を含む。いくつかの場合、特定された特性は、SRと関連付けられた優先度レベルを含む。
【０１５２】
SRリソース識別器1240は、SRの送信のために専用リソースを確保し得る。いくつかの場合、専用リソースは、RACH送信のために確保されたリソースとは異なる。いくつかの場合、専用リソースはRACHの送信のために確保されたリソースであり、SRを受信することは、SRを示すためのRACHシーケンスを受信することを含む。
【０１５３】
図13は、本開示の様々な態様による、指向性ビームへのアクセスのためのSRの送信をサポートするデバイス1305を含むシステム1300の図を示す。デバイス1305は、たとえば、図1を参照して上で説明されたような、基地局105の構成要素の例であることがあり、またはそれを含むことがある。デバイス1305は、基地局SRマネージャ1315、プロセッサ1320、メモリ1325、ソフトウェア1330、トランシーバ1335、アンテナ1340、ネットワーク通信マネージャ1345、および基地局通信マネージャ1350を含めて、通信を送信および受信するための構成要素を含む、双方向音声通信およびデータ通信のための構成要素を含み得る。これらの構成要素は、1つまたは複数のバス(たとえば、バス1310)を介して電気的に通信していることがある。デバイス1305は、1つまたは複数のUE115とワイヤレスに通信し得る。
【０１５４】
プロセッサ1320は、インテリジェントハードウェアデバイス(たとえば、汎用プロセッサ、DSP、CPU、マイクロコントローラ、ASIC、FPGA、プログラマブル論理デバイス、ディスクリートゲートもしくはトランジスタ論理構成要素、ディスクリートハードウェア構成要素、またはそれらの任意の組合せ)を含み得る。いくつかの場合、プロセッサ1320は、メモリコントローラを使用して、メモリアレイを動作させるように構成され得る。他の場合には、メモリコントローラは、プロセッサ1320に統合され得る。プロセッサ1320は、様々な機能(たとえば、指向性ビームへのアクセスのためのスケジューリング要求の送信をサポートする機能またはタスク)を実行するためにメモリに記憶されたコンピュータ可読命令を実行するように構成され得る。
【０１５５】
メモリ1325はRAMおよびROMを含み得る。メモリ1325は、実行されると、本明細書で説明される様々な機能をプロセッサに実行させる命令を含むコンピュータ可読のコンピュータ実行可能ソフトウェア1330を記憶し得る。いくつかの場合には、メモリ1325は、とりわけ、周辺構成要素またはデバイスとの相互作用などの、基本的なハードウェアおよび/またはソフトウェア動作を制御し得るBIOSを含み得る。
【０１５６】
ソフトウェア1330は、指向性ビームへのアクセスのためのSRの送信をサポートするためのコードを含む、本開示の態様を実装するためのコードを含み得る。ソフトウェア1330は、システムメモリまたは他のメモリなどの、非一時的コンピュータ可読媒体に記憶され得る。いくつかの場合、ソフトウェア1330は、プロセッサによって直接実行可能ではないことがあるが、(たとえば、コンパイルされ、実行されると)本明細書で説明される機能をコンピュータに実行させ得る。
【０１５７】
トランシーバ1335は、上で説明されたように、1つまたは複数のアンテナ、有線リンク、またはワイヤレスリンクを介して双方向に通信し得る。たとえば、トランシーバ1335は、ワイヤレストランシーバを表すことがあり、別のワイヤレストランシーバと双方向に通信することがある。トランシーバ1335はまた、パケットを変調し、変調されたパケットを送信のためにアンテナに与え、アンテナから受信されたパケットを復調するためのモデムも含み得る。
【０１５８】
いくつかの場合、ワイヤレスデバイスは、単一のアンテナ1340を含み得る。しかしながら、いくつかの場合、デバイスは、複数のワイヤレス送信を同時に送信または受信することが可能であり得る複数のアンテナ1340を有し得る。
【０１５９】
ネットワーク通信マネージャ1345は、(たとえば、1つまたは複数の有線バックホールリンクを介して)コアネットワークとの通信を管理し得る。たとえば、ネットワーク通信マネージャ1345は、1つまたは複数のUE115などのクライアントデバイスのためのデータ通信の転送を管理し得る。
【０１６０】
基地局通信マネージャ1350は、他の基地局105との通信を管理することができ、他の基地局105と協調してUE115との通信を制御するためのコントローラまたはスケジューラを含み得る。たとえば、基地局通信マネージャ1350は、ビームフォーミングまたはジョイント送信などの様々な干渉緩和技法のために、UE115への送信のためのスケジューリングを協調させ得る。いくつかの例では、基地局通信マネージャ1350は、基地局105間の通信を行うために、LTE/LTE-Aワイヤレス通信ネットワーク技術内のX2インターフェースを提供し得る。
【０１６１】
図14は、本開示の様々な態様による、指向性ビームへのアクセスのためのSRの送信の方法1400を示すフローチャートを示す。方法1400の動作は、本明細書で説明されるようなUE115またはその構成要素によって実施され得る。たとえば、方法1400の動作は、図6〜図9を参照して説明されたように、UE SRマネージャによって実行され得る。いくつかの例では、UE115は、以下で説明される機能を実行するようにデバイスの機能要素を制御するためのコードのセットを実行し得る。加えて、または代わりに、UE115は、専用ハードウェアを使用して、以下で説明される機能の態様を実行し得る。
【０１６２】
ブロック1405において、UE115は、送信のためにUEにより生成されたアップリンクメッセージ(たとえば、SRまたはBFRR)を特定し得る。ブロック1405の動作は、図1〜図5を参照して説明された方法に従って実行され得る。いくつかの例では、ブロック1405の動作の態様は、図6〜図9を参照して説明されたように、SR識別器によって実行され得る。
【０１６３】
ブロック1410において、UE115は、UEにより生成されたアップリンクメッセージと関連付けられた特性またはUEの状態に少なくとも一部基づいて、被スケジューリングモードまたは自律モードを使用してUEにより生成されたアップリンクメッセージを送信すると決定し得る。ブロック1410の動作は、図1〜図5を参照して説明された方法に従って実行され得る。いくつかの例では、ブロック1410の動作の態様は、図6〜図9を参照して説明されたように、SRモード選択構成要素によって実行され得る。
【０１６４】
ブロック1415において、UE115は、被スケジューリングモードまたは自律モードを使用して、UEにより生成されたアップリンクメッセージを送信し得る。ブロック1415の動作は、図1〜図5を参照して説明された方法に従って実行され得る。いくつかの例では、ブロック1415の動作の態様は、図6〜図9を参照して説明されたように、送信機によって実行され得る。
【０１６５】
図15は、本開示の様々な態様による、指向性ビームへのアクセスのためのSRの送信の方法1500を示すフローチャートを示す。方法1500の動作は、本明細書で説明されるようなUE115またはその構成要素によって実施され得る。たとえば、方法1500の動作は、図6〜図9を参照して説明されたように、UE SRマネージャによって実行され得る。いくつかの例では、UE115は、以下で説明される機能を実行するようにデバイスの機能要素を制御するためのコードのセットを実行し得る。加えて、または代わりに、UE115は、専用ハードウェアを使用して、以下で説明される機能の態様を実行し得る。
【０１６６】
ブロック1505において、UE115はダウンリンク指向性ビーム上でダウンリンク送信を受信し得る。ブロック1505の動作は、図1〜図5を参照して説明された方法に従って実行され得る。いくつかの例では、ブロック1505の動作の態様は、図6〜図9を参照して説明されたように、受信機によって実行され得る。
【０１６７】
ブロック1510において、UE115は、送信のためにUEにより生成されたアップリンクメッセージ(たとえば、SRまたはBFRR)を特定し得る。ブロック1510の動作は、図1〜図5を参照して説明された方法に従って実行され得る。いくつかの例では、ブロック1510の動作の態様は、図6〜図9を参照して説明されたようなSR識別器によって実行され得る。
【０１６８】
ブロック1515において、UE115は、UEにより生成されたアップリンクメッセージと関連付けられた特性またはUEの状態に少なくとも一部基づいて、被スケジューリングモードまたは自律モードを使用してUEにより生成されたアップリンクメッセージを送信すると決定し得る。ブロック1515の動作は、図1〜図5を参照して説明された方法に従って実行され得る。いくつかの例では、ブロック1515の動作の態様は、図6〜図9を参照して説明されたように、SRモード選択構成要素によって実行され得る。
【０１６９】
ブロック1520において、UE115は、UEにより生成されたアップリンクメッセージの送信のための専用リソースを特定し得る。ブロック1520の動作は、図1〜図5を参照して説明された方法に従って実行され得る。いくつかの例では、ブロック1520の動作の態様は、図6〜図9を参照して説明されたように、SRリソース識別器によって実行され得る。
【０１７０】
ブロック1525において、UE115は専用リソースをダウンリンク指向性ビームと関連付け得る。ブロック1525の動作は、図1〜図5を参照して説明された方法に従って実行され得る。いくつかの例では、ブロック1525の動作の態様は、図6〜図9を参照して説明されたように、SRリソース関連付け構成要素によって実行され得る。
【０１７１】
ブロック1530において、UE115は、自律モードを使用して、専用リソース上でUEにより生成されたアップリンクメッセージを送信し得る。ブロック1530の動作は、図1〜図5を参照して説明された方法に従って実行され得る。いくつかの例では、ブロック1530の動作の態様は、図6〜図9を参照して説明されたように、送信機によって実行され得る。
【０１７２】
図16は、本開示の様々な態様による、指向性ビームへのアクセスのためのSRの送信の方法1600を示すフローチャートを示す。方法1600の動作は、本明細書で説明されるようなUE115またはその構成要素によって実施され得る。たとえば、方法1600の動作は、図6〜図9を参照して説明されたように、UE SRマネージャによって実行され得る。いくつかの例では、UE115は、以下で説明される機能を実行するようにデバイスの機能要素を制御するためのコードのセットを実行し得る。加えて、または代わりに、UE115は、専用ハードウェアを使用して、以下で説明される機能の態様を実行し得る。
【０１７３】
ブロック1605において、UE115はアップリンク送信のためのリソースを示すグラントを受信し得る。ブロック1605の動作は、図1〜図5を参照して説明された方法に従って実行され得る。いくつかの例では、ブロック1605の動作の態様は、図6〜図9を参照して説明されたように、受信機によって実行され得る。
【０１７４】
ブロック1610において、UE115は、送信のためにUEにより生成されたアップリンクメッセージ(たとえば、SRまたはBFRR)を特定し得る。ブロック1610の動作は、図1〜図5を参照して説明された方法に従って実行され得る。いくつかの例では、ブロック1610の動作の態様は、図6〜図9を参照して説明されたようなSR識別器によって実行され得る。
【０１７５】
ブロック1615において、UE115は、UEにより生成されたアップリンクメッセージと関連付けられた特性またはUEの状態に少なくとも一部基づいて、被スケジューリングモードまたは自律モードを使用してUEにより生成されたアップリンクメッセージを送信すると決定し得る。ブロック1615の動作は、図1〜図5を参照して説明された方法に従って実行され得る。いくつかの例では、ブロック1615の動作の態様は、図6〜図9を参照して説明されたように、SRモード選択構成要素によって実行され得る。
【０１７６】
ブロック1620において、UE115は、UEにより生成されたアップリンクメッセージをアップリンク送信と関連付け得る。ブロック1620の動作は、図1〜図5を参照して説明された方法に従って実行され得る。いくつかの例では、ブロック1620の動作の態様は、図6〜図9を参照して説明されたように、SRリソース関連付け構成要素によって実行され得る。
【０１７７】
ブロック1625において、UE115は、被スケジューリングモードを使用して、リソース上でUEにより生成されたアップリンクメッセージを送信し得る。ブロック1625の動作は、図1〜図5を参照して説明された方法に従って実行され得る。いくつかの例では、ブロック1625の動作の態様は、図6〜図9を参照して説明されたように、送信機によって実行され得る。
【０１７８】
図17は、本開示の様々な態様による、指向性ビームへのアクセスのためのSRの送信の方法1700を示すフローチャートを示す。方法1700の動作は、本明細書で説明されるようなUE115またはその構成要素によって実施され得る。たとえば、方法1700の動作は、図6〜図9を参照して説明されたように、UE SRマネージャによって実行され得る。いくつかの例では、UE115は、以下で説明される機能を実行するようにデバイスの機能要素を制御するためのコードのセットを実行し得る。加えて、または代わりに、UE115は、専用ハードウェアを使用して、以下で説明される機能の態様を実行し得る。
【０１７９】
ブロック1705において、UE115は、送信のためにUEにより生成されたアップリンクメッセージ(たとえば、SRまたはBFRR)を特定し得る。ブロック1705の動作は、図1〜図5を参照して説明された方法に従って実行され得る。いくつかの例では、ブロック1705の動作の態様は、図6〜図9を参照して説明されたように、SR識別器によって実行され得る。
【０１８０】
ブロック1710において、UE115は、UEにより生成されたアップリンクメッセージと関連付けられた特性またはUEの状態に少なくとも一部基づいて、被スケジューリングモードまたは自律モードを使用してUEにより生成されたアップリンクメッセージを送信すると決定し得る。ブロック1710の動作は、図1〜図5を参照して説明された方法に従って実行され得る。いくつかの例では、ブロック1710の動作の態様は、図6〜図9を参照して説明されたように、SRモード選択構成要素によって実行され得る。
【０１８１】
ブロック1715において、UE115は、被スケジューリングモードまたは自律モードを使用して、UEにより生成されたアップリンクメッセージを送信し得る。ブロック1715の動作は、図1〜図5を参照して説明された方法に従って実行され得る。いくつかの例では、ブロック1715の動作の態様は、図6〜図9を参照して説明されたように、送信機によって実行され得る。
【０１８２】
ブロック1720において、UE115は、送信のためにUEにより生成された第2のアップリンクメッセージを特定し得る。ブロック1720の動作は、図1〜図5を参照して説明された方法に従って実行され得る。いくつかの例では、ブロック1720の動作の態様は、図6〜図9を参照して説明されたように、SR識別器によって実行され得る。
【０１８３】
ブロック1725において、UE115は、被スケジューリングモードから自律モードに、または自律モードから被スケジューリングモードに切り替え得る。ブロック1725の動作は、図1〜図5を参照して説明された方法に従って実行され得る。いくつかの例では、ブロック1725の動作の態様は、図6〜図9を参照して説明されたように、SRモード選択構成要素によって実行され得る。
【０１８４】
ブロック1730において、UE115は、被スケジューリングモードまたは自律モードを使用して、UEにより生成された第2のアップリンクメッセージを送信し得る。ブロック1730の動作は、図1〜図5を参照して説明された方法に従って実行され得る。いくつかの例では、ブロック1730の動作の態様は、図6〜図9を参照して説明されたように、送信機によって実行され得る。
【０１８５】
図18は、本開示の様々な態様による、指向性ビームへのアクセスのためのSRの送信の方法1800を示すフローチャートを示す。方法1800の動作は、本明細書で説明されるようなUE115またはその構成要素によって実施され得る。たとえば、方法1800の動作は、図6〜図9を参照して説明されたように、UE SRマネージャによって実行され得る。いくつかの例では、UE115は、以下で説明される機能を実行するようにデバイスの機能要素を制御するためのコードのセットを実行し得る。加えて、または代わりに、UE115は、専用ハードウェアを使用して、以下で説明される機能の態様を実行し得る。
【０１８６】
ブロック1805において、UE115は、mmW通信システムにおける複数のビームフォーミングされた送信のうちの1つでアップリンクグラントを受信し得る。ブロック1805の動作は、図1〜図5を参照して説明された方法に従って実行され得る。いくつかの例では、ブロック1805の動作の態様は、図6〜図9を参照して説明されたように、受信機によって実行され得る。ビームフォーミングされた送信はまた、サブ6GHzスペクトルにおいて発生し得る。
【０１８７】
ブロック1810において、UE115は、送信のためにUEにより生成されたアップリンクメッセージ(たとえば、SRまたはBFRR)を特定し得る。ブロック1810の動作は、図1〜図5を参照して説明された方法に従って実行され得る。いくつかの例では、ブロック1810の動作の態様は、図6〜図9を参照して説明されたようなSR識別器によって実行され得る。
【０１８８】
ブロック1815において、UE115は、mmW通信システムにおいて、アップリンクグラントによって示されるリソース上でUEにより生成されたアップリンクメッセージを送信し得る。ブロック1815の動作は、図1〜図5を参照して説明された方法に従って実行され得る。いくつかの例では、ブロック1815の動作の態様は、図6〜図9を参照して説明されたように、送信機によって実行され得る。
【０１８９】
図19は、本開示の様々な態様による、指向性ビームへのアクセスのためのSRの送信の方法1900を示すフローチャートを示す。方法1900の動作は、本明細書で説明されるようなUE115またはその構成要素によって実施され得る。たとえば、方法1900の動作は、図6〜図9を参照して説明されたように、UE SRマネージャによって実行され得る。いくつかの例では、UE115は、以下で説明される機能を実行するようにデバイスの機能要素を制御するためのコードのセットを実行し得る。加えて、または代わりに、UE115は、専用ハードウェアを使用して、以下で説明される機能の態様を実行し得る。
【０１９０】
ブロック1905において、UE115は、送信のためにUEにより生成されたアップリンクメッセージ(たとえば、SRまたはBFRR)を特定し得る。ブロック1905の動作は、図1〜図5を参照して説明された方法に従って実行され得る。いくつかの例では、ブロック1905の動作の態様は、図6〜図9を参照して説明されたように、SR識別器によって実行され得る。
【０１９１】
ブロック1910において、UE115はビームフォーミングされた同期信号を受信し得る。ブロック1910の動作は、図1〜図5を参照して説明された方法に従って実行され得る。いくつかの例では、ブロック1910の動作の態様は、図6〜図9を参照して説明されたように、受信機によって実行され得る。
【０１９２】
ブロック1915において、UE115は、受信されたビームフォーミングされた同期信号と関連付けられたUEにより生成されたアップリンクメッセージの送信のための専用リソースを特定することができる。ブロック1915の動作は、図1〜図5を参照して説明された方法に従って実行され得る。いくつかの例では、ブロック1915の動作の態様は、図6〜図9を参照して説明されたように、SRリソース識別器によって実行され得る。
【０１９３】
ブロック1920において、UE115は、専用リソース上でUEにより生成されたアップリンクメッセージを送信し得る。ブロック1920の動作は、図1〜図5を参照して説明された方法に従って実行され得る。いくつかの例では、ブロック1920の動作の態様は、図6〜図9を参照して説明されたように、送信機によって実行され得る。
【０１９４】
上で説明された方法は、可能な実装形態を説明しており、動作およびステップは、並べ替えられるか、または別様に修正されてもよく、他の実装形態が可能であることに留意されたい。さらに、方法のうちの2つ以上からの態様が組み合わされてもよい。
【０１９５】
本明細書で説明される技法は、符号分割多元接続(CDMA)、時分割多元接続(TDMA)、周波数分割多元接続(FDMA)、直交周波数分割多元接続(OFDMA)、シングルキャリア周波数分割多元接続(SC-FDMA)、および他のシステムなどの、様々なワイヤレス通信システムのために使用され得る。「システム」および「ネットワーク」という用語は、しばしば、互換的に使用される。CDMAシステムは、CDMA2000、Universal Terrestrial Radio Access(UTRA)などの無線技術を実装し得る。CDMA2000は、IS-2000規格、IS-95規格、およびIS-856規格を対象とする。IS-2000リリースは、通常、CDMA2000 1X、1Xなどと呼ばれることがある。IS-856(TIA-856)は、通常、CDMA2000 1xEV-DO、High Rate Packet Data(HRPD)などと呼ばれる。UTRAは、Wideband CDMA(WCDMA(登録商標))およびCDMAの他の変形を含む。時分割多元接続(TDMA)システムは、Global System for Mobile Communications(GSM(登録商標))などの無線技術を実装し得る。
【０１９６】
OFDMAシステムは、Ultra Mobile Broadband(UMB)、Evolved UTRA(E-UTRA)、米国電気電子技術者協会(IEEE)802.11(Wi-Fi)、IEEE802.16(WiMAX)、IEEE802.20、Flash-OFDMなどの無線技術を実装し得る。UTRAおよびE-UTRAは、Universal Mobile Telecommunications system(UMTS)の一部である。3GPP Long Term Evolution(LTE)およびLTE-Advanced(LTE-A)は、E-UTRAを使用するUMTSのリリースである。UTRA、E-UTRA、UMTS、LTE、LTE-A、およびGlobal System for Mobile communications(GSM(登録商標))は、「第3世代パートナーシッププロジェクト」(3GPP)と称する組織からの文書に記載されている。CDMA2000およびUMBは、「第3世代パートナーシッププロジェクト2」(3GPP2)と称する組織からの文書に記載されている。本明細書で説明される技法は、上述のシステムおよび無線技術、ならびに他のシステムおよび無線技術のために使用され得る。LTEシステムの態様が例として説明されることがあり、説明の大部分においてLTE用語が使用されることがあるが、本明細書で説明される技法はLTE適用例以外に適用可能である。
【０１９７】
本明細書で説明されるそのようなネットワークを含むLTE/LTE-Aネットワークでは、eNBという用語は一般に、基地局を表すために使用され得る。本明細書で説明される単一または複数のワイヤレス通信システムは、異なるタイプのeNBが様々な地理的領域にカバレッジを提供する、異種LTE/LTE-Aネットワークを含み得る。たとえば、各eNBまたは基地局は、マクロセル、スモールセル、または他のタイプのセルのための、通信カバレッジを提供し得る。「セル」という用語は、文脈に応じて、基地局、基地局と関連付けられたキャリアもしくはコンポーネントキャリア、またはキャリアもしくは基地局のカバレッジエリア(たとえば、セクタなど)を表すために使用され得る。
【０１９８】
基地局は、トランシーバ基地局、無線基地局、アクセスポイント、無線トランシーバ、NodeB、eNB、Home NodeB、Home eNodeB、または何らかの他の好適な用語を含むことがあり、または当業者によってそのように呼ばれることがある。基地局のための地理的カバレッジエリアは、カバレッジエリアの一部分のみを構成するセクタに分割され得る。本明細書で説明される1つまたは複数のワイヤレス通信システムは、異なるタイプの基地局(たとえば、マクロセル基地局またはスモールセル基地局)を含み得る。本明細書で説明されるUEは、マクロeNB、スモールセルeNB、中継基地局などを含む、様々なタイプの基地局およびネットワーク機器と通信することが可能であり得る。異なる技術のための重複する地理的カバレッジエリアがあり得る。
【０１９９】
マクロセルは、一般に、比較的大きい地理的エリア(たとえば、半径数キロメートル)をカバーし、ネットワークプロバイダのサービスに加入しているUEによる無制限アクセスを可能にし得る。スモールセルは、マクロセルと比較して、同じまたは異なる(たとえば、免許、免許不要などの)周波数帯域内でマクロセルとして動作し得る低電力基地局である。スモールセルは、様々な例に応じて、ピコセル、フェムトセル、およびマイクロセルを含み得る。ピコセルは、たとえば、小さい地理的エリアをカバーすることができ、ネットワークプロバイダのサービスに加入しているUEによる無制限アクセスを可能にし得る。フェムトセルも、小さい地理的エリア(たとえば、自宅)をカバーすることができ、フェムトセルとの関連性を有するUE(たとえば、限定加入者グループ(CSG)の中のUE、自宅内のユーザのためのUE、など)による制限付きアクセスを提供することができる。マクロセルのためのeNBは、マクロeNBと呼ばれることがある。スモールセルのためのeNBは、スモールセルeNB、ピコeNB、フェムトeNB、またはホームeNBと呼ばれ得る。eNBは、1つまたは複数の(たとえば、2つ、3つ、4つなどの)セル(たとえば、コンポーネントキャリア)をサポートし得る。UEは、マクロeNB、スモールセルeNB、中継基地局などを含む、様々なタイプの基地局およびネットワーク機器と通信することが可能であり得る。
【０２００】
本明細書で説明される1つまたは複数のワイヤレス通信システムは、同期動作または非同期動作をサポートし得る。同期動作の場合、基地局は、類似のフレームタイミングを有することがあり、異なる基地局からの送信は、時間的にほぼ整合されることがある。非同期動作の場合、基地局は、異なるフレームタイミングを有する場合があり、異なる基地局からの送信は、時間的に整合されないことがある。本明細書で説明される技法は、同期動作または非同期動作のいずれに使用されてもよい。
【０２０１】
本明細書で説明されるダウンリンク送信は、順方向リンク送信と呼ばれることもあり、アップリンク送信は、逆方向リンク送信と呼ばれることもある。たとえば、図1および図2のワイヤレス通信システム100および200を含む、本明細書で説明される各通信リンクは、1つまたは複数のキャリアを含むことがあり、ここで、各キャリアは、複数のサブキャリア(たとえば、異なる周波数の波形信号)で構成される信号であり得る。
【０２０２】
添付の図面に関して本明細書に記載された説明は、例示的な構成を説明し、実装され得るまたは特許請求の範囲内に入るすべての例を表すとは限らない。本明細書で使用される「例示的」という用語は、「例、事例、または例示として働く」ことを意味し、「好ましい」または「他の例よりも有利な」を意味するものではない。詳細な説明は、説明された技法の理解を与えるための具体的な詳細を含む。しかしながら、これらの技法は、これらの具体的な詳細を伴わずに実践され得る。いくつかの事例では、説明された例の概念を不明瞭にすることを回避するために、よく知られている構造およびデバイスがブロック図の形態で示される。
【０２０３】
添付の図では、同様の構成要素または特徴は、同じ参照ラベルを有することがある。さらに、同じタイプの様々な構成要素が、参照ラベルの後に、ダッシュおよび類似の構成要素を区別する第2のラベルを続けることによって区別されることがある。第1の参照符号のみが本明細書において使用される場合、説明は、第2の参照符号にかかわらず、同じ第1の参照符号を有する類似の構成要素のうちのいずれにも適用可能である。
【０２０４】
本明細書で説明される情報および信号は、様々な異なる技術および技法のいずれかを使用して表され得る。たとえば、上記の説明全体にわたって言及される場合があるデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０２０５】
本開示に関して説明される様々な例示的なブロックおよびモジュールは、汎用プロセッサ、DSP、ASIC、FPGAもしくは他のプログラマブル論理デバイス、ディスクリートゲートもしくはトランジスタ論理、ディスクリートハードウェア構成要素、または本明細書で説明される機能を実行するように設計されたそれらの任意の組合せを用いて実装または実行され得る。汎用プロセッサはマイクロプロセッサであってよいが、代替として、プロセッサは任意の従来のプロセッサ、コントローラ、マイクロコントローラ、または状態機械であってよい。プロセッサはまた、コンピューティングデバイスの組合せ(たとえば、DSPとマイクロプロセッサとの組合せ、複数のマイクロプロセッサ、DSPコアと連携した1つもしくは複数のマイクロプロセッサ、または任意の他のそのような構成)としても実装され得る。
【０２０６】
本明細書で説明された機能は、ハードウェア、プロセッサによって実行されるソフトウェア、ファームウェア、またはそれらの任意の組合せとして実装され得る。プロセッサによって実行されるソフトウェアで実装される場合、機能は、1つまたは複数の命令またはコードとして、コンピュータ可読媒体上に記憶されてよく、またはコンピュータ可読媒体を介して送信され得る。他の例および実装形態は、本開示および添付の特許請求の範囲の範囲内に入る。たとえば、ソフトウェアの性質に起因して、上で説明された機能は、プロセッサ、ハードウェア、ファームウェア、ハードワイヤリング、またはこれらのうちのいずれかの組合せによって実行されるソフトウェアを使用して実装されることが可能である。機能を実施する特徴はまた、異なる物理的位置において機能の部分が実装されるように分散されることを含めて、様々な位置に物理的に配置され得る。また、特許請求の範囲内を含む本明細書で使用される場合、項目のリスト(たとえば、「〜の少なくとも1つ」または「〜の1つまたは複数」などの句によって前置きされた項目のリスト)において使用されるような「または」は、たとえば、A、B、またはCの少なくとも1つのリストがAまたはBまたはCまたはABまたはACまたはBCまたはABC(すなわち、AおよびBおよびC)を意味するように、包括的リストを示す。また、本明細書で使用される「に基づいて」という句は、条件の閉集合を指すものと解釈されるべきではない。たとえば、「条件Aに基づいて」として説明される例示的なステップは、本開示の範囲から逸脱することなく、条件Aと条件Bの両方に基づいてよい。言い換えれば、本明細書で使用される「に基づいて」という句は、「に少なくとも一部基づいて」という句と同様に解釈されるものとする。
【０２０７】
コンピュータ可読媒体は、非一時的コンピュータ記憶媒体と、ある場所から別の場所へのコンピュータプログラムの転送を容易にする任意の媒体を含む通信媒体の両方を含む。非一時的記憶媒体は、汎用コンピュータまたは専用コンピュータによってアクセスされ得る任意の利用可能な媒体であってよい。限定ではなく例として、非一時的コンピュータ可読媒体は、RAM、ROM、電気的消去可能プログラマブル読取り専用メモリ(EEPROM)、コンパクトディスク(CD)ROMまたは他の光ディスクストレージ、磁気ディスクストレージまたは他の磁気ストレージデバイス、あるいは、命令またはデータ構造の形態の所望のプログラムコード手段を担持または記憶するために使用され、汎用コンピュータもしくは専用コンピュータまたは汎用プロセッサもしくは専用プロセッサによってアクセスされ得る、任意の他の非一時的媒体を備え得る。また、任意の接続が、適正にコンピュータ可読媒体と呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、デジタル加入者回線(DSL)、または赤外線、無線、およびマイクロ波などのワイヤレス技術は、媒体の定義に含まれる。本明細書で使用されるディスク(disk)およびディスク(disc)は、CD、レーザーディスク(登録商標)(disc)、光ディスク(disc)、デジタル多用途ディスク(disc)(DVD)、フロッピーディスク(disk)およびBlu-ray(登録商標)ディスク(disc)を含み、ここで、ディスク(disk)は、通常、データを磁気的に再生し、ディスク(disc)は、データをレーザーで光学的に再生する。上記の組合せも、コンピュータ可読媒体の範囲内に含まれる。
【０２０８】
本明細書での説明は、当業者が本開示を作成または使用することを可能にするために与えられる。本開示の様々な修正は、当業者に容易に明らかになり、本明細書で定義される一般原理は、本開示の範囲を逸脱することなく他の変形形態に適用され得る。したがって、本開示は、本明細書で説明される例および設計に限定されず、本明細書で開示される原理および新規の特徴と一致する最も広い範囲を与えられるべきである。
【符号の説明】
【０２０９】
105  基地局
110  地理的カバレッジエリア
115  UE
125  通信リンク
130  コアネットワーク
132  バックホールリンク
134  バックホールリンク
205  ビームフォーミングされた信号
305  アップリンクスロット
310  時間増分
315  SR領域
320  制御領域
325  データ領域
405  アップリンクスロット
410  時間増分
420  制御領域
425  データ領域
430  SR領域
435  時間増分
440  周波数増分
605  ワイヤレスデバイス
610  受信機
615  UE SRマネージャ
620  送信機
705  ワイヤレスデバイス
710  受信機
715  UE SRマネージャ
720  送信機
725  SR識別子
730  SR特性識別子
735  SRモード選択構成要素
740  SRリソース識別子
815  UE SRマネージャ
820  SR識別子
825  SR特性識別子
830  SRモード選択構成要素
835  SRリソース識別子
840  SRリソース関連付け構成要素
905  デバイス
910  バス
915  UE SRマネージャ
920  プロセッサ
930  ソフトウェア
935  トランシーバ
940  アンテナ
945  I/Oコントローラ
1005  ワイヤレスデバイス
1010  受信機
1015  基地局SRマネージャ
1020  送信機
1105  ワイヤレスデバイス
1110  受信機
1115  基地局SRマネージャ
1120  送信機
1125  SR識別子
1130  SRモード選択構成要素
1135  SRリソース関連付け構成要素
1215  基地局SRマネージャ
1220  SR識別子
1225  SRモード選択構成要素
1230  SRリソース関連付け構成要素
1235  SR特性識別子
1240  SRリソース識別子
1305  デバイス
1310  バス
1315  基地局SRマネージャ
1320  プロセッサ
1330  ソフトウェア
1335  トランシーバ
1340  アンテナ
1345  ネットワーク通信マネージャ
1350  基地局通信マネージャ
【図１】
2019536315.tif 000003
【図２】
2019536315.tif 000004
【図３】
2019536315.tif 000005
【図４Ａ】
2019536315.tif 000006
【図４Ｂ】
2019536315.tif 000007
【図５】
2019536315.tif 000008
【図６】
2019536315.tif 000009
【図７】
2019536315.tif 000010
【図８】
2019536315.tif 000011
【図９】
2019536315.tif 000012
【図１０】
2019536315.tif 000013
【図１１】
2019536315.tif 000014
【図１２】
2019536315.tif 000015
【図１３】
2019536315.tif 000016
【図１４】
2019536315.tif 000017
【図１５】
2019536315.tif 000018
【図１６】
2019536315.tif 000019
【図１７】
2019536315.tif 000020
【図１８】
2019536315.tif 000021
【図１９】
2019536315.tif 000022
【国際調査報告】
2019536315.tif 000023
2019536315.tif 000024